(57)【要約】【課題】  本発明では、容易に音声認識によるディクテーションにより入力されたテキストデータを電子カルテに容易に登録することができることができる医療支援システムを提供する。【解決手段】  医療に関する情報を所定の媒体に出力する医療支援システムにおいて、音声が入力される音声入力手段と、前記音声入力手段により入力された前記音声を認識して、該音声を文字化する音声文字化手段と、生体内の部位に関する情報である部位情報と前記媒体上の所定の位置を示す位置情報とが格納された部位出力位置情報格納手段と、前記音声文字化手段により文字化された音声入力文字情報に、前記部位情報が含まれているかを判定する判定手段と、前記判定手段による判定結果に基づいて、前記位置情報の示す前記媒体上の位置に、所定の文字情報を出力する出力手段と、を備える医療支援システムを用いることにより、上記課題の解決を図る。【選択図】      図１
2006221583.tif 000002
【特許請求の範囲】
【請求項１】
医療に関する情報を所定の媒体に出力する医療支援システムにおいて、
音声が入力される音声入力手段と、
前記音声入力手段により入力された前記音声を認識して、該音声を文字化する音声文字化手段と、
生体内の部位に関する情報である部位情報と前記媒体上の所定の位置を示す位置情報とが格納された部位出力位置情報格納手段と、
前記音声文字化手段により文字化された音声入力文字情報に、前記部位情報が含まれているかを判定する判定手段と、
前記判定手段による判定結果に基づいて、前記位置情報の示す前記媒体上の位置に、所定の文字情報を出力する出力手段と、
を備えることを特徴とする医療支援システム。
【請求項２】
前記媒体は、電子カルテファイルであるか、または情報を表示する表示手段を有しているものであることを特徴とする請求項１に記載の医療支援システム。
【請求項３】
前記所定の文字情報は、前記音声入力文字情報であることを特徴とする請求項１に記載の医療支援システム。
【請求項４】
前記部位出力位置情報格納手段は、さらに、前記部位の状態に関する情報である部位状態情報と前記音声入力文字情報を簡略化した情報である文字簡略化情報とを格納し、
前記判定手段は、前記音声入力文字情報に前記部位情報と前記部位状態情報とが含まれているかを判定し、
前記出力手段は、前記判定手段による判定結果に基づいて、前記位置情報の示す前記媒体上の位置に、前記文字簡略化情報を出力する
ことを特徴とする請求項１に記載の医療支援システム。
【請求項５】
前記部位出力位置情報格納手段は、さらに、前記部位の状態に関する情報である部位状態情報と前記音声入力文字情報を簡略化した情報である文字簡略化情報とを格納し、
前記判定手段は、前記音声入力文字情報に前記部位情報と前記部位状態情報とが含まれているかを判定し、
前記出力手段は、前記判定手段による判定結果に基づいて、前記位置情報の示す前記媒体上の位置に、前記音声入力文字情報を出力する
ことを特徴とする請求項１に記載の医療支援システム。
【請求項６】
前記部位出力位置情報格納手段は、さらに、前記部位に対する作用に関する情報である部位作用情報と、該作用の結果に関する情報である作用結果情報と、前記媒体に出力させる該作用結果情報に相当する出力用作用結果情報を格納し、
前記判定手段は、前記音声入力文字情報に前記部位情報と前記部位作用情報と前記作用結果情報とが含まれているかを判定し、
前記出力手段は、前記判定手段による判定結果に基づいて、前記位置情報の示す前記媒体上の位置に、前記出力用作用結果情報を出力する
ことを特徴とする請求項１に記載の医療支援システム。
【請求項７】
前記出力手段は、前記出力用作用結果情報を前記位置情報の示す前記媒体上の位置に出力する場合、該出力用作用結果情報の表示態様を変化させて出力することを特徴とする請求項６に記載の医療支援システム。
【請求項８】
医療に関する情報を所定の媒体に出力する医療支援システムにおいて、
音声が入力される音声入力手段と、
前記音声入力手段により入力された前記音声を認識して、該音声を文字化する音声文字化手段と、
前記音声文字化手段により文字化された文字情報である音声入力文字情報を出力する出力手段と、
前記音声入力手段により入力された前記音声による前記出力される前記音声入力文字情報の表示態様に関する指示情報を認識する音声指示認識手段と、
音声指示認識手段により認識された前記指示情報に基づいて、前記出力される前記音声入力文字情報の表示態様を制御する表示態様制御手段と、
を備えることを特徴とする医療支援システム。
【請求項９】
医療に関する情報を所定の媒体に出力する医療支援方法において、
音声を入力し、
前記入力された前記音声を認識して、該音声を文字化し、
生体内の部位に関する情報である部位情報と前記媒体上の所定の位置を示す位置情報とを記憶装置に格納し、
前記音声が文字化された音声入力文字情報に、前記部位情報が含まれているかを判定し、
前記判定結果に基づいて、前記位置情報の示す前記媒体上の位置に、所定の文字情報を出力する
ことを特徴とする医療支援方法。
【請求項１０】
前記所定の文字情報は、前記音声入力文字情報であることを特徴とする請求項９に記載の医療支援方法。
【請求項１１】
さらに、前記部位の状態に関する情報である部位状態情報と前記音声入力文字情報を簡略化した情報である文字簡略化情報を前記記憶装置に格納し、
前記音声入力文字情報に前記部位情報と前記部位状態情報とが含まれているかを判定し、
前記判定結果に基づいて、前記位置情報の示す前記媒体上の位置に、前記文字簡略化情報を出力する
ことを特徴とする請求項９に記載の医療支援方法。
【請求項１２】
さらに、前記部位の状態に関する情報である部位状態情報と前記音声入力文字情報を簡略化した情報である文字簡略化情報とを前記記憶装置に格納し、
前記音声入力文字情報に前記部位情報と前記部位状態情報が含まれているかを判定し、
前記判定結果に基づいて、前記位置情報の示す前記媒体上の位置に、前記音声入力文字情報を出力する
ことを特徴とする請求項９に記載の医療支援方法。
【請求項１３】
さらに、前記部位に対する作用に関する情報である部位作用情報と、該作用の結果に関する情報である作用結果情報と、前記媒体に出力させる該作用結果情報に相当する出力用作用結果情報とを前記記憶装置に格納し、
前記音声入力文字情報に前記部位情報と前記部位作用情報と前記作用結果情報とが含まれているかを判定し、
前記判定結果に基づいて、前記位置情報の示す前記媒体上の位置に、前記出力用作用結果情報を出力する
ことを特徴とする請求項９に記載の医療支援方法。
【請求項１４】
前記出力用作用結果情報を前記位置情報の示す前記媒体上の位置に出力する場合、該出力用作用結果情報の表示態様を変化させて出力することを特徴とする請求項１３に記載の医療支援方法。
【請求項１５】
医療に関する情報を所定の媒体に出力する医療支援方法において、
音声を入力し、
前記入力された前記音声を認識して、該音声を文字化し、
前記文字化された音声入力文字情報を出力する出力手段と、
前記入力された前記音声による前記出力される前記音声入力文字情報の表示態様に関する指示情報を認識し、
前記指示情報に基づいて、前記出力される前記音声入力文字情報の表示態様を制御する
ことを特徴とする医療支援方法。
【請求項１６】
医療に関する情報を所定の媒体に出力する医療支援システムを構成する医療機器間の通信を制御するシステムコントローラにおいて、
音声が入力される音声入力手段と、
前記音声入力手段により入力された前記音声を認識して、該音声を文字化する音声文字化手段と、
生体内の部位に関する情報である部位情報と前記媒体上の所定の位置を示す位置情報とが格納された部位出力位置情報格納手段と、
前記音声文字化手段により文字化された音声入力文字情報に、前記部位情報が含まれているかを判定する判定手段と、
前記判定手段による判定結果に基づいて、前記位置情報の示す前記媒体上の位置に、所定の文字情報を出力する出力手段と、
を備えることを特徴とするシステムコントローラ。
【請求項１７】
医療に関する情報を所定の媒体に出力する医療支援システムを構成する医療機器間の通信を制御するシステムコントローラにおいて、
音声が入力される音声入力手段と、
前記音声入力手段により入力された前記音声を認識して、該音声を文字化する音声文字化手段と、
前記音声文字化手段により文字化された文字情報である音声入力文字情報を出力する出力手段と、
前記音声入力手段により入力された前記音声による前記出力される前記音声入力文字情報の表示態様に関する指示情報を認識する音声指示認識手段と、
音声指示認識手段により認識された前記指示情報に基づいて、前記出力される前記音声入力文字情報の表示態様を制御する表示態様制御手段と、
を備えることを特徴とするシステムコントローラ。
【発明の詳細な説明】
【背景技術】
【０００１】
近年では内視鏡を用いた外科手術が行われている。この内視鏡外科手術では、腹腔内を膨張させるために用いる気腹装置や手技を行うための処置装置等を用いて、ある生体組織の切除をしたり、または高周波焼灼装置を用いて止血をしたりする場合、内視鏡で観察しながらこれらの処置を行うことができる。
【０００２】
また、これら複数の各種機器を備えた内視鏡手術システムにおいて、複数の装置を容易に操作、制御することができ、またシステムの操作力性を向上させるため、例えば、表示パネル、遠隔操作装置、集中操作パネル、マイク等の機器を備えている（例えば、特許文献１、特許文献２、特許文献３。）。
【０００３】
表示パネルは、術者が滅菌域で各種機器の設定状態を確認するための表示手段であって、例えば液晶パネルなどである。遠隔操作装置は、術者が滅菌域で操作し各種機器の機能または設定値を変更するための遠隔操作手段であって、例えばリモコン（リモートコントローラ）である。集中操作パネルは、術者の指示に従って看護師等の補助者が非滅菌域で操作し各種機器の機能または設定値を変更するための各機器の操作スイッチをタッチパネルに設けた集ものである。マイクは、音声で各種機器を操作するために用いられる。
【０００４】
上記の通り、最近では、音声認識によりユーザの発音を認識し、接続機器の操作を行う機能（音声コマンド制御機能）や、術中・検査中に術者が発音した所見内容を音声認識しテキストデータに変換し電子カルテ等の作成に役立てるディクテーション（Ｄｉｃｔａｔｉｏｎ）機能を備える内視鏡システムが存在する。
【特許文献１】特開２００２−３３６１８４号公報
【特許文献２】特開２００１−３４４３４６号公報
【特許文献３】特開２００３−２７１１７６号公報
【発明の開示】
【発明が解決しようとする課題】
【０００５】
従来の内視鏡システムにおいて、患者のカルテへの検査結果の記載は、医師または看護師がペン、キーボード等を使用して手入力で行っており、音声認識によるディクテーションにより入力されたテキストデータを、患者の電子カルテに反映させていなかった。
【０００６】
また、検査部位の検査が完了したかどうかの判別は、音声認識によるディクテーションとは関連付けられていなかった。そのため、検査完了を確認する場合は、内視鏡の観察用モニターから視線を外さなければならなかった。
【０００７】
また、従来の内視鏡システムにおいて、音声認識を活用したディクテーションをおこなったテキストデータを、内視鏡画像上に重畳する技術はあったが、その重畳されたテキストデータの表示／非表示を制御する機能はなかった。
【０００８】
上記の課題に鑑み、本発明では、容易に音声認識によるディクテーションにより入力されたテキストデータを電子カルテに容易に登録することができることができる医療支援システムを提供する。また、ディクテーションにより入力された検査等の進行状況を表示パネルに表示させることができる医療支援システムを提供する。また、ディクテーションにより入力されたテキストデータの表示態様を制御することができる医療支援システムを提供する。
【課題を解決するための手段】
【０００９】
上記課題は、特許請求の範囲の請求項１に記載の発明によれば、医療に関する情報を所定の媒体に出力する医療支援システムにおいて、音声が入力される音声入力手段と、前記音声入力手段により入力された前記音声を認識して、該音声を文字化する音声文字化手段と、生体内の部位に関する情報である部位情報と前記媒体上の所定の位置を示す位置情報とが格納された部位出力位置情報格納手段と、前記音声文字化手段により文字化された音声入力文字情報に、前記部位情報が含まれているかを判定する判定手段と、前記判定手段による判定結果に基づいて、前記位置情報の示す前記媒体上の位置に、所定の文字情報を出力する出力手段と、を備えることを特徴とする医療支援システムを提供することによって達成できる。
【００１０】
上記課題は、特許請求の範囲の請求項２に記載の発明によれば、前記媒体は、電子カルテファイルであるか、または情報を表示する表示手段を有しているものであることを特徴とする請求項１に記載の医療支援システムを提供することによって達成できる。
【００１１】
上記課題は、特許請求の範囲の請求項３に記載の発明によれば、前記所定の文字情報は、前記音声入力文字情報であることを特徴とする請求項１に記載の医療支援システムを提供することによって達成できる。
【００１２】
上記課題は、特許請求の範囲の請求項４に記載の発明によれば、前記部位出力位置情報格納手段は、さらに、前記部位の状態に関する情報である部位状態情報と前記音声入力文字情報を簡略化した情報である文字簡略化情報とを格納し、前記判定手段は、前記音声入力文字情報に前記部位情報と前記部位状態情報とが含まれているかを判定し、前記出力手段は、前記判定手段による判定結果に基づいて、前記位置情報の示す前記媒体上の位置に、前記文字簡略化情報を出力することを特徴とする請求項１に記載の医療支援システムを提供することによって達成できる。
【００１３】
上記課題は、特許請求の範囲の請求項５に記載の発明によれば、前記部位出力位置情報格納手段は、さらに、前記部位の状態に関する情報である部位状態情報と前記音声入力文字情報を簡略化した情報である文字簡略化情報とを格納し、前記判定手段は、前記音声入力文字情報に前記部位情報と前記部位状態情報とが含まれているかを判定し、前記出力手段は、前記判定手段による判定結果に基づいて、前記位置情報の示す前記媒体上の位置に、前記音声入力文字情報を出力することを特徴とする請求項１に記載の医療支援システムを提供することによって達成できる。
【００１４】
上記課題は、特許請求の範囲の請求項６に記載の発明によれば、前記部位出力位置情報格納手段は、さらに、前記部位に対する作用に関する情報である部位作用情報と、該作用の結果に関する情報である作用結果情報と、前記媒体に出力させる該作用結果情報に相当する出力用作用結果情報を格納し、前記判定手段は、前記音声入力文字情報に前記部位情報と前記部位作用情報と前記作用結果情報とが含まれているかを判定し、前記出力手段は、前記判定手段による判定結果に基づいて、前記位置情報の示す前記媒体上の位置に、前記出力用作用結果情報を出力することを特徴とする請求項１に記載の医療支援システムを提供することによって達成できる。
【００１５】
上記課題は、特許請求の範囲の請求項７に記載の発明によれば、前記出力手段は、前記出力用作用結果情報を前記位置情報の示す前記媒体上の位置に出力する場合、該出力用作用結果情報の表示態様を変化させて出力することを特徴とする請求項６に記載の医療支援システムを提供することによって達成できる。
【００１６】
上記課題は、特許請求の範囲の請求項８に記載の発明によれば、医療に関する情報を所定の媒体に出力する医療支援システムにおいて、音声が入力される音声入力手段と、前記音声入力手段により入力された前記音声を認識して、該音声を文字化する音声文字化手段と、前記音声文字化手段により文字化された文字情報である音声入力文字情報を出力する出力手段と、前記音声入力手段により入力された前記音声による前記出力される前記音声入力文字情報の表示態様に関する指示情報を認識する音声指示認識手段と、音声指示認識手段により認識された前記指示情報に基づいて、前記出力される前記音声入力文字情報の表示態様を制御する表示態様制御手段と、を備えることを特徴とする医療支援システムを提供することによって達成できる。
【００１７】
上記課題は、特許請求の範囲の請求項９に記載の発明によれば、医療に関する情報を所定の媒体に出力する医療支援方法において、音声を入力し、前記入力された前記音声を認識して、該音声を文字化し、生体内の部位に関する情報である部位情報と前記媒体上の所定の位置を示す位置情報とを記憶装置に格納し、前記音声が文字化された音声入力文字情報に、前記部位情報が含まれているかを判定し、前記判定結果に基づいて、前記位置情報の示す前記媒体上の位置に、所定の文字情報を出力することを特徴とする医療支援方法を提供することによって達成できる。
【００１８】
上記課題は、特許請求の範囲の請求項１０に記載の発明によれば、前記所定の文字情報は、前記音声入力文字情報であることを特徴とする請求項９に記載の医療支援方法を提供することによって達成できる。
【００１９】
上記課題は、特許請求の範囲の請求項１１に記載の発明によれば、さらに、前記部位の状態に関する情報である部位状態情報と前記音声入力文字情報を簡略化した情報である文字簡略化情報を前記記憶装置に格納し、前記音声入力文字情報に前記部位情報と前記部位状態情報とが含まれているかを判定し、前記判定結果に基づいて、前記位置情報の示す前記媒体上の位置に、前記文字簡略化情報を出力することを特徴とする請求項９に記載の医療支援方法を提供することによって達成できる。
【００２０】
上記課題は、特許請求の範囲の請求項１２に記載の発明によれば、さらに、前記部位の状態に関する情報である部位状態情報と前記音声入力文字情報を簡略化した情報である文字簡略化情報とを前記記憶装置に格納し、前記音声入力文字情報に前記部位情報と前記部位状態情報が含まれているかを判定し、前記判定結果に基づいて、前記位置情報の示す前記媒体上の位置に、前記音声入力文字情報を出力することを特徴とする請求項９に記載の医療支援方法を提供することによって達成できる。
【００２１】
上記課題は、特許請求の範囲の請求項１３に記載の発明によれば、さらに、前記部位に対する作用に関する情報である部位作用情報と、該作用の結果に関する情報である作用結果情報と、前記媒体に出力させる該作用結果情報に相当する出力用作用結果情報とを前記記憶装置に格納し、前記音声入力文字情報に前記部位情報と前記部位作用情報と前記作用結果情報とが含まれているかを判定し、前記判定結果に基づいて、前記位置情報の示す前記媒体上の位置に、前記出力用作用結果情報を出力することを特徴とする請求項９に記載の医療支援方法を提供することによって達成できる。
【００２２】
上記課題は、特許請求の範囲の請求項１４に記載の発明によれば、前記出力用作用結果情報を前記位置情報の示す前記媒体上の位置に出力する場合、該出力用作用結果情報の表示態様を変化させて出力することを特徴とする請求項１３に記載の医療支援方法を提供することによって達成できる。
【００２３】
上記課題は、特許請求の範囲の請求項１５に記載の発明によれば、医療に関する情報を所定の媒体に出力する医療支援方法において、音声を入力し、前記入力された前記音声を認識して、該音声を文字化し、前記文字化された音声入力文字情報を出力する出力手段と、前記入力された前記音声による前記出力される前記音声入力文字情報の表示態様に関する指示情報を認識し、前記指示情報に基づいて、前記出力される前記音声入力文字情報の表示態様を制御することを特徴とする医療支援方法を提供することによって達成できる。
【００２４】
上記課題は、特許請求の範囲の請求項１６に記載の発明によれば、医療に関する情報を所定の媒体に出力する医療支援システムを構成する医療機器間の通信を制御するシステムコントローラにおいて、音声が入力される音声入力手段と、前記音声入力手段により入力された前記音声を認識して、該音声を文字化する音声文字化手段と、生体内の部位に関する情報である部位情報と前記媒体上の所定の位置を示す位置情報とが格納された部位出力位置情報格納手段と、前記音声文字化手段により文字化された音声入力文字情報に、前記部位情報が含まれているかを判定する判定手段と、前記判定手段による判定結果に基づいて、前記位置情報の示す前記媒体上の位置に、所定の文字情報を出力する出力手段と、を備えることを特徴とするシステムコントローラを提供することによって達成できる。
【００２５】
上記課題は、特許請求の範囲の請求項１７に記載の発明によれば、医療に関する情報を所定の媒体に出力する医療支援システムを構成する医療機器間の通信を制御するシステムコントローラにおいて、音声が入力される音声入力手段と、前記音声入力手段により入力された前記音声を認識して、該音声を文字化する音声文字化手段と、前記音声文字化手段により文字化された文字情報である音声入力文字情報を出力する出力手段と、前記音声入力手段により入力された前記音声による前記出力される前記音声入力文字情報の表示態様に関する指示情報を認識する音声指示認識手段と、音声指示認識手段により認識された前記指示情報に基づいて、前記出力される前記音声入力文字情報の表示態様を制御する表示態様制御手段と、を備えることを特徴とするシステムコントローラを提供することによって達成できる。
【発明の効果】
【００２６】
本発明を用いることにより、検査中または検査後に患者カルテを記載する手間を省くことができる。
また、容易に検査完了の有無を確認することができる。また、検査完了の有無を確認する際に、観察モニタから目を離さずに確認することができるので、検査・手術を効率よく行うことができる。
【００２７】
また、内視鏡手術等の進行状況に応じて、表示パネルに表示されるディクテーションテキストデータの表示態様を、音声コマンドで制御することができるので、効率よく観察を行うことができる。
【発明を実施するための最良の形態】
【００２８】
本発明にかかる医療に関する情報を所定の媒体に出力する医療支援システムは、音声入力手段と、音声文字化手段と、部位出力位置情報格納手段と、判定手段と、出力手段とを備えている。
【００２９】
所定の媒体は、例えば、電子カルテファイルまたは表示装置など情報を表示する表示手段等である。音声入力手段とは、音声が入力されるものであり、例えば、マイクまたはシステムコントローラ側についているマイクとのインターフェース等である。音声文字化手段とは、前記音声入力手段により入力された前記音声を認識して、該音声を文字化するものであり、例えば、音声認識回路である。
【００３０】
第１の実施形態にかかる本発明は、次のものである。部位出力位置情報格納手段には、生体内の部位に関する情報である部位情報（図４、図７、図１０で言えば「キーワード」に対応する）と前記媒体上の所定の位置を示す位置情報（例えば、座標等）とが格納されている。部位出力位置情報格納手段は、以下の実施形態では、例えば、図４、図７、図１０に示す関連付けテーブルを格納した記憶装置である。
【００３１】
判定手段は、前記音声文字化手段により文字化された音声入力文字情報（すなわち、ディクテーションテキストデータである）に、前記部位情報が含まれているかを判定するものであり、ＣＰＵにより実行される。
【００３２】
出力手段は、前記判定手段による判定結果に基づいて、前記位置情報の示す前記媒体上の位置に、所定の文字情報を出力するものであり、例えば、所定の媒体に出力するための各種インターフェース等のことである。ここで、所定の文字情報とは、後述するように、ディクテーションテキストデータ、または図７の関連付けテーブルの「テキストの簡略化」に格納されたテキストデータ、または図１０の関連付けテーブルの「テキスト表示」に格納されたテキストデータを示す。
【００３３】
前記部位出力位置情報格納手段は、さらに、前記部位の状態に関する情報である部位状態情報（図７で言えば「キーワード２」に対応する）と前記音声入力文字情報を簡略化した情報である文字簡略化情報（図７の関連付けテーブルの「テキストの簡略化」に対応する）とを格納している。前記判定手段は、前記音声入力文字情報に前記部位情報と前記部位状態情報とが含まれているかを判定する。前記出力手段は、前記判定手段による判定結果に基づいて、前記位置情報の示す前記媒体上の位置に、前記文字簡略化情報または前記音声入力文字情報を出力する。
【００３４】
第２の実施形態にかかる本発明は、次のものである。前記部位出力位置情報格納手段は、さらに、前記部位に対する作用に関する情報である部位作用情報（図１０の関連付けテーブルの「キーワード２」に対応する）と、該作用の結果に関する情報である作用結果情報（図１０の関連付けテーブルの「キーワード３」に対応する）と、前記媒体に出力させる該作用結果情報に相当する出力用作用結果情報（図１０の関連付けテーブルの「テキスト表示」に対応する）を格納している。前記判定手段は、前記音声入力文字情報に前記部位情報と前記部位作用情報と前記作用結果情報とが含まれているかを判定する。前記出力手段は、前記判定手段による判定結果に基づいて、前記位置情報の示す前記媒体上の位置に、前記出力用作用結果情報を出力する。
【００３５】
また、前記出力手段は、前記出力用作用結果情報を前記位置情報の示す前記媒体上の位置に出力する場合、該出力用作用結果情報の表示態様（例えば、図１３）を変化させて出力する。この表示態様の変化とは、例えば、出力用作用結果情報を示す文字の大きさを変化させたり、または色を変えたり、点灯等することである。  第３の実施形態にかかる本発明は、次のものである。第３の実施形態にかかる医療に関する情報を所定の媒体に出力する医療支援システムは、音声入力手段と、音声文字化手段と、出力手段と、音声指示認識手段と、表示態様制御手段とを備えている。
【００３６】
音声入力手段とは、音声が入力されるものであり、例えば、マイクまたはシステムコントローラ側についているマイクとのインターフェース等である。音声文字化手段とは、前記音声入力手段により入力された前記音声を認識して、該音声を文字化するものであり、例えば、音声認識回路のディクテーション機能を示す。出力手段とは、前記音声文字化手段により文字化された文字情報である音声入力文字情報（ディクテーションテキストデータ）を出力するものであり、例えば、表示装置に出力するための通信インターフェース等を示す。音声指示認識手段とは、前記音声入力手段により入力された前記音声による前記出力される前記音声入力文字情報の表示態様に関する指示情報を認識するものであり、例えば、音声認識回路の音声コマンド制御機能を示す。表示態様制御手段とは、音声指示認識手段により認識された前記指示情報に基づいて、前記出力される前記音声入力文字情報の表示態様を制御するものであり、例えば、ＣＰＵにより制御されるものである。
【００３７】
では、以下に各実施の形態について説明する。
＜第１の実施形態＞
本実施形態では、音声認識によるディクテーションにより入力したテキストデータを、テキストファイルの特定位置に自動的に登録する。では、詳細を以下に示す。
【００３８】
図１は、本実施形態における内視鏡手術システムの全体構成を示す。内視鏡手術システム１は、患者３０が横たわる患者ベッド１９の両側に、第１の内視鏡手術システム２及び第２の内視鏡手術システム３が配置されている。
【００３９】
これらの内視鏡手術システム２，３には、観察、検査、処置、記録などを行う複数の内視鏡周辺機器がそれぞれ第１の医療用トロリー１２及び第２の医療用トロリー２５に搭載されている。また、患者ベッド１９の周辺には、可動スタンドが配置され、その可動スタンドには内視鏡表示パネル２０が搭載されている。
【００４０】
第１の医療用トロリー１２には、最上段の天板のトロリートッププレート４１、中段に設けられたトロリー棚４０、最下段の底板部から構成されている。トロリートッププレート４１には、内視鏡表示パネル１１とシステムコントローラ２２が配置されている。トロリー棚４０にはＶＴＲ１７、ビデオプロセッサ１６、内視鏡光源装置１５が配置されている。底板部には、送気装置（気腹装置）１４、電気メス装置１３が配置されている。また、第１の医療用トロリー１２のアーム部には、集中操作パネル３３、集中表示パネル２１が配置されている。また、第１の医療用トロリー１２には、例えば不図示の超音波観測装置、またはプリンタ等を搭載しても良い。
【００４１】
集中操作パネル３３は、非滅菌域に配置され看護師等が各医療機器の操作を集中して行うものであって、図示しないマウスとタッチパネル等のポインティングデバイスを有したものであり、医療機器を集中管理・制御・操作するものである。
【００４２】
それぞれの医療機器は、図示しないシリアルインターフェイスケーブルを介してシステムコントローラ２２と接続され、双方向通信を行うことができる。また、システムコントローラ２２には、マイク５０を接続接続することができる。
【００４３】
システムコントローラ２２は、マイク５０から入力された音声を後述する音声認識回路４６及びＣＰＵ５５（図２参照）により認識する。そして、その音声を認識後にシステムコントローラ２２は、術者の音声により各機器を制御、もしくは認識結果をテキストとして表示したり、出力したりすることができる。
【００４４】
また、システムコントローラ２２には、音声ディクテーション用コントローラ４９を接続することができる。
内視鏡光源装置１５は、照明光を伝送するライトガイドケーブルを介して第１の内視鏡３１に接続されている。内視鏡光源装置１５の照明光は、第１の内視鏡３１のライトガイドに供給されると、この第１の内視鏡３１の挿入部が刺入された患者３の腹部内の患部等を照明する。
【００４５】
この第１の内視鏡３１の接眼部には、撮像素子を備えた第１のカメラヘッド３１ａが装着されている。第１のカメラヘッド３１ａ内の撮像素子を用いて、第１の内視鏡３１の観察光学系による患部等の光学像が撮像される。そうすると、その撮像した光学像データがカメラケーブルを介してビデオプロセッサ１６に伝送される。その光学像データはビデオプロセッサ１６内の信号処理回路で信号処理されて、映像信号が生成される。そして、その映像信号がシステムコントローラ２２を介して内視鏡表示パネル１１に出力されて、内視鏡表示パネル１１に患部等の内視鏡画像が表示される。
【００４６】
システムコントローラ２２には、図示しないＭＯ等の外部媒体記録装置が内蔵されている。これにより、システムコントローラ２２は、外部記録媒体（ＭＯ）に記録された画像を読み出して、内視鏡表示パネル１１に出力して表示させることができる。また、システムコントコーラ２２には、図示しない病院内に設けられたネットワーク（院内ネット）と図示しないケーブルで接続されている。これにより、システムコントローラ２２は、院内ネット上の画像データ等を取得して第１の内視鏡表示パネル１１に出力して表示させることができる。
【００４７】
気腹装置１４には、例えばＣＯ2等のガスボンベ１８が接続されている。そして、この気腹装置１４から患者３０に延びた気腹チューブ１４ａを介して患者３０の腹部内にＣＯ2ガスを供給できる。
【００４８】
第２の医療用トロリー２５には、最上段の天板のトロリートッププレート４３、中段に設けられたトロリー棚４２、最下段の底板部から構成されている。トロリートッププレート４３には、内視鏡表示パネル３５と中継ユニット２８が配置されている。トロリー棚４２にはＶＴＲ６２、ビデオプロセッサ２７、内視鏡光源装置２６が配置されている。底板部には、その他の医療機器、例えば、超音波処置装置、砕石装置、ポンプ、シェーバ等が搭載されている。それぞれの機器は、図示しないケーブルで中継ユニット２８に接続され、双方向の通信が可能になっている。
【００４９】
内視鏡光源装置２６は、照明光を伝送するライトガイドケーブルを介して第２の内視鏡３２に接続されている。内視鏡光源装置２６の照明光が、第２の内視鏡３２のライトガイドに供給される。そうすると、この第２の内視鏡３２の挿入部が刺入された患者３０の腹部内の患部等を照明する。
【００５０】
この第２の内視鏡３２の接眼部には、撮像素子を備えた第２のカメラヘッド３２ａが装着されている。第２のカメラヘッド３２ａ内の撮像素子を用いて、第２の内視鏡３２の観察光学系による患部等の光学像が撮像される。そうすると、その撮像した光学像データがカメラケーブルを介してビデオプロセッサ２７に伝送される。その光学像データはビデオプロセッサ２７内の信号処理回路で信号処理されて、映像信号が生成される。そして、その映像信号がシステムコントローラ２２を介して内視鏡表示パネル３５に出力されて、内視鏡表示パネル３５に患部等の内視鏡画像が表示される。
【００５１】
システムコントローラ２２と中継ユニット２８は中継ケーブル２９で接続されている。
さらに、システムコントローラ２２は、術者が滅菌域から機器操作を行う術者用無線リモートコントローラ（以下、リモコンと記す）２４により制御することもできる。また、第１の医療用トロリー１２，第２の医療用トロリー２５には、その他の機器（例えば、プリンタ、超音波観測装置等）も搭載することができる。
【００５２】
図２は、図１の内視鏡手術システムを構成する各医療機器の接続関係を示すブロック図である。同図に示すように、集中操作パネル３３、リモコン２４、ＶＴＲ１７、ビデオプロセッサ１６、内視鏡光源装置１５、気腹装置１４、電気メス装置１３、プリンタ６０（図１では不図示）、及び超音波観察装置６１（図１では不図示）はそれぞれ通信ケーブル３８によりシステムコントローラ２２の通信インターフェース（以下、インターフェースをＩ／Ｆと称する）５１と接続されている。システムコントローラ２２とこれらの各装置間では、データの送受が行われる。
【００５３】
また、ＶＴＲ１７、内視鏡表示パネル１１、ビデオプロセッサ１６、プリンタ６０及び超音波観測装置６１は、映像ケーブル３９によりシステムコントローラ２２のディスプレイＩ／Ｆ５２と接続されており、映像信号を送受できるようになっている。
【００５４】
ＶＴＲ６２、ビデオプロセッサ２７、内視鏡光源装置２６、シェーバ６３（図１では不図示）、ポンプ６４（図１では不図示）、超音波処理装置６５（図１では不図示）は、通信ケーブル３８により中継ユニット２８に接続されている。中継ユニット２８とこれらの各装置間では、データの送受が行われる。また、内視鏡表示パネル３５、ビデオプロセッサ２７及びＶＴＲ６２は、映像ケーブル３９により中継ユニット２８と接続されており、映像信号を送受できるようになっている。
【００５５】
また、中継ユニット２８は、ケーブル２９（図１参照）によりシステムコントローラ２２と接続されている。中継ユニット２８は、ケーブル２９内の通信ケーブル３８を介してシステムコントローラ２２の通信Ｉ／Ｆ５１に接続されている。また、中継ユニット２８は、ケーブル２９内の映像ケーブル３９を介してシステムコントローラ２２のディスプレイＩ／Ｆ５２に接続されている。
【００５６】
システムコントローラ２２は、通信Ｉ／Ｆ５１、ディスプレイＩ／Ｆ５２の他に、集中操作パネルＩ／Ｆ５３、音声合成回路５７、ＣＰＵ５５、メモリ５９、スピーカ５８、音声認識回路５６、リモコンＩ／Ｆ５４を備えている。
【００５７】
音声認識回路５６は、マイク５０からの音声信号を認識するものである。音声認識回路５６は、Ａ／Ｄ変換器と、入力音声メモリと、ナビゲーションコマンドメモリ、ディクテーション用のメモリ等から構成される。Ａ／Ｄ変換器５１では、マイク５０からの音声信号をＡ／Ｄ変換する。入力音声メモリ５２では、Ａ／Ｄ変換器５１でＡ／Ｄ変換された入力音声データを記憶する。ナビゲーションコマンドメモリには、ＣＰＵ５５が入力音声メモリに記憶された音声データが所定のコマンドデータであるかどうかを比較するためのナビゲーションコマンドデータを格納している。ディクテーション用のメモリには、ＣＰＵ５５が入力音声メモリに記憶された音声データが所定のディクテーションテキストデータ（ディクテーションテキストデータ：音声をディクテーション機能により音声認識させてテキスト化したデータのことをいう。以下、同じ）と一致するかを比較するための音声文言テーブルを格納している。
【００５８】
リモコンＩ／Ｆ５４は、リモコン２４とのデータの送受を行うものである。音声合成回路５７は、音声を合成しスピーカ５８より音声を発せさせるものである。集中操作パネルＩ／Ｆ５３は、集中操作パネル３３とのデータの送受を行うものである。これら各回路がＣＰＵ５５により制御されている。
【００５９】
また、システムコントローラ２２には外部記録媒体が接続可能となっており、ＣＰＵ５５より画像データを外部記録媒体（図示せず）に記録・再生できる。また、システムコントローラ２２は、不図示のネットワークＩ／Ｆを備えている。これにより、ＷＡＮ（ワールドエリアネットワーク）、ＬＡＮ（ローカルエリアネットワーク）、インターネット、イントラネット、エクストラネット等のネットワークにも接続することができ、これら外部のネットワークとの間でデータの送受ができる。
【００６０】
なお、システムコントローラ２２には、第１の内視鏡３１、第２の内視鏡３２の各種類に応じた内視鏡操作画面レイアウトやモニター画質設定が登録されており、第１の内視鏡３１または第２の内視鏡３２が接続された時、内視鏡の種類の判別を行うと供に、接続された内視鏡に応じた画面レイアウトやモニター画質設定を自動的に行う。また、内視鏡の各種類に応じた内視鏡操作画面レイアウトやモニター画質設定の登録場所は、システムコントローラ２２に接続する院内サーバや外付けハードディスク等の外部記録装置（ここでは記載しない）でも良い。
【００６１】
また、音声ディクテーション用コントローラ４９には、音声ディクテーション機能の開始／停止用ボタンが複数用意されており、音声ディクテーションソフトウェアに依存したディクテーション入力の他に、カナ文字入力、ひらがな文字入力等のディクテーション入力を選択して行うことができる。これらの音声ディクテーション機能の開始／停止は、音声ディクテーション用コントローラ４９だけではなく、リモートコンローラ２３や第１の内視鏡３１、第２の内視鏡３２に用意された操作ボタン、及びマイク５０を使用した音声操作も可能である。マイク５０を使用した音声操作による音声ディクテーション機能の開始／停止とは、例えば、カナ変換したい文言の前に「カナ変換」と発話することにより、以降の文言が必ずカナ変換されることである。
【００６２】
（実施例１）
図３は、本実施形態における集中表示パネル２１の表示例を示す。同図において、集中表示パネル２１は、接続周辺機器ステータス表示部７０、ディクテーション機能表示部７１、ディクテーションテキスト表示部７２、内視鏡画像表示部７３から構成される。
【００６３】
接続周辺機器ステータス表示部７０には、システムコントローラに接続されている医療機器（例えば、気腹装置１４、電気メス装置１３等）の設定値や測定値が表示される。ディクテーション機能表示部７１には、ディクテーションを開始しているか、入力モードが何か（例えば、漢字で入力するモード）、及び当該ディクテーション機能表示部７１を表示させるか等のディクテーションに関する情報が表示される。
【００６４】
内視鏡画像表示部７３には、例えば、第１の内視鏡３１や第２の内視鏡３２で観察している内視鏡画像が表示される。ディクテーションテキスト表示部７２には、ディクテーション機能により音声をテキスト化した情報（ディクテーションテキストデータ）が表示される。
【００６５】
図４は、本実施形態における「キーワード」と「電子カルテへの登録座標」との関連付けテーブルを示す。この関連付けテーブル８０は、項目「キーワード」８１と項目「電子カルテへの登録座標」８２から構成されている。関連付けテーブル８０は、メモリ５９に格納されている。
【００６６】
「キーワード」８１には、例えば、「部位１」、「部位２」、「部位３」、・・・「部位Ｘ」等の生体内の所定の部位の名称等のキーワードが格納されている。
「電子カルテへの登録座標」８２には、各キーワードに対応する電子カルテファイルへの登録座標（Ｘ軸×Ｙ軸）が格納されている。例えば、キーワード「部位１」に対応する登録座標には「４００×２００」が格納されているので、キーワード「部位２」に対応する登録座標には「４００×４００」が格納されている。なお、この登録座標とは、電子カルテファイル上の座標を示し、この座標で表された位置に後述する所定のテキストを出力（登録）する。
【００６７】
この関連付けテーブル８０を用いることにより、「キーワード」を含むディクテーションテキストデータが入力された場合には、それらに対応する「電子カルテへの登録座標」にそのディクテーションテキストデータを登録することができる。
【００６８】
図５は、本実施形態における電子カルテファイルへの登録例を示す。電子カルテファイルは、例えば、メモリ５９に格納されていてもよいし、システムコントローラ２２とネットワークを介して接続されている所定のサーバ内の記憶装置に格納されていても良い。同図では、電子カルテ（患者カルテ）９０には、その明細部分に項目として「部位１」、「部位２」、「部位３」、・・・、「部位Ｘ」が出力されている。そして、項目「部位１：」の右側には、「部位１の腫瘍摘出完了」が出力されている。
【００６９】
図５の「部位１」、「部位２」、「部位３」、・・・、「部位Ｘ」は、関連付けテーブル８０の項目「キーワード」８１に対応するものである。そして、関連付けテーブル８０の項目「電子カルテへの登録座標」８２に登録されている座標は、図５の「部位１」、「部位２」、「部位３」、・・・、「部位Ｘ」の各項目に対して出力する座標を示している。
【００７０】
それでは、図４と図５の関係を、図６を用いて説明する。
図６は、本実施形態におけるディクテーションテキストデータを電子カルテファイルへ登録するフローを示す。本フローは、例えばメモリ５９に格納されている所定のプログラムをＣＰＵ５５が読み出して起動させることにより実行される。
【００７１】
まず、医師がマイク５０から音声を入力すると、音声認識回路５６に入力されて、ＣＰＵ５５の制御によりテキスト化される（以下、ディクテーション機能という）。音声の入力が終了すると、ディクテーション機能によるテキスト化が終了する。つまり、システムコントローラ２２へのディクテーションテキストデータの入力が終了する（Ｓ１）。なお、ここでは、例えば、「部位１の腫瘍摘出完了。」という音声が入力されたとする。
【００７２】
次に、ＣＰＵ５５は、このディクテーションテキストデータに、関連付けテーブル８０の「キーワード」８１に格納されているキーワード（例えば、「部位１」、「部位２」  等）が含まれているかを検索する（Ｓ２）。
【００７３】
検索の結果、ＣＰＵ５５は、入力されたディクテーションテキストデータにキーワードが含まれているか否かを判断する（Ｓ３）。キーワードが含まれていない場合（Ｓ３で「Ｎｏ」へ進む）には、本フローは終了する。キーワードが含まれている場合には、ＣＰＵ５５は、関連付けテーブル８０からそのキーワードに対応する「電子カルテへの登録座標」を検索する（Ｓ４）。上記で「部位１の腫瘍摘出完了。」という音声が入力されているので、このディクテーションテキストデータには、「部位１」というキーワードが含まれている。
【００７４】
次に、検索された電子カルテの登録座標へディクテーションデータを出力する（Ｓ５）。例えば、図４のキーワード「部位１」に対応する登録座標「４００×２００」は、図５の「部位１：」の次に出力された「部位１の腫瘍摘出完了」の先頭文字の位置「部」の出力位置を示している。
【００７５】
以上より、所定のディクテーションテキストデータを電子カルテ上の特定の位置に出力することができるので、検査中または検査後に電子カルテに所定の情報を入力する手間を省くことができる。
【００７６】
（実施例２）
次に、上記の第１の実施形態の実施例１の変形例について説明する。ここでは、入力されたテキストデータの中に所定のキーワードが全て含まれている場合には、電子カルテの特定の位置に「問題無し」等の簡単な出力を行い、そうでない場合には、入力されたディクテーションテキストデータを出力する。
【００７７】
図７は、本実施形態の変形例におけるキーワードと登録座標との関連付けテーブルを示す。関連付けテーブル１００は、項目「キーワード１」１０１、項目「キーワード２」１０２、項目「電子カルテへの登録座標」１０３、及び、項目「テキストの簡略化」１０４から構成されている。なお、この関連付けテーブル１００は、メモリ５９に格納されている。
【００７８】
項目「キーワード１」１０１には、例えば、「部位１」、「部位２」、「部位３」、・・・「部位Ｘ」等の生体内の所定の部位の名称等のキーワードが格納されている。
項目「キーワード２」１０２には、例えば、各キーワード１に対応して「問題無し」等の部位に関する所見（例えば、問題無し、問題あり、異常なし、異常あり、等）等が格納されている。
【００７９】
項目「電子カルテへの登録座標」１０３には、キーワード１に対応する電子カルテファイルへの登録座標（Ｘ軸×Ｙ軸）が格納されている。例えば、キーワード１「部位１」に対応する登録座標には「４００×２００」が格納されており、キーワード１「部位２」に対応する登録座標には「４００×４００」が格納されている。
【００８０】
項目「テキストの簡略化」１０４には、例えば、各キーワード１に対応して「問題無し」が格納されている。「テキストの簡略化」１０４は、例えば、キーワード２の内容を簡略化したテキストが格納されている。
【００８１】
この関連付けテーブル１００を用いることにより、「キーワード１」と「キーワード２」を含むディクテーションテキストデータが入力された場合には、「キーワード１」と「キーワード２」の組み合わせに対応する「電子カルテへの登録座標」に「テキストの簡略化」を登録することができる。なお、後述するが、「キーワード１」のみを含むディクテーションテキストデータが入力された場合には、そのキーワード１に対応する「電子カルテへの登録座標」にその入力されたディクテーションテキストデータを登録することができる。
【００８２】
図８は、本実施形態の変形例における電子カルテファイルへの登録例を示す。図９は、本実施形態の変形例におけるディクテーションテキストデータを電子カルテファイルへ登録するフローを示す。このフローは、例えばメモリ５９に格納されている所定のプログラムをＣＰＵ５５が読み出して起動させることにより実行される。以下では、図８を参照しながら、図９のフローについて説明する。
【００８３】
まず、医師がマイク５０から、例えば「部位１は問題無し」という音声を入力すると、ディクテーション機能によりその音声がテキスト化される。音声の入力が終了すると、ディクテーション機能によるテキスト化が終了する。つまり、テキスト化されたテキストデータ（ディクテーションテキストデータ）の入力が終了する（Ｓ２１）。
【００８４】
次に、ＣＰＵ５５は、このディクテーションテキストデータに、関連付けテーブル１００の「キーワード１」１０１に格納されているキーワード１（例えば、「部位１」、「部位２」  等）が含まれているかを検索する（Ｓ１２）。
【００８５】
検索の結果、ＣＰＵ５５は、ディクテーションテキストデータにキーワード１が含まれているか否かを判断する（Ｓ１３）。Ｓ１３でキーワード１が含まれていない場合（Ｓ３で「Ｎｏ」へ進む）には、本フローは終了する。
【００８６】
上記の例では、「部位１は問題無し」というディクテーションテキストデータ中にキーワード１の「部位１」が含まれているので（Ｓ１３で「Ｙｅｓ」へ進む）、さらに、このディクテーションテキストデータが、キーワード１、及びこのキーワード１に対応するキーワード２と一致するかを判断する（Ｓ１４）。
【００８７】
図７よりキーワード１「部位１」に対応するキーワード２は「問題無し」であり、これらのキーワードはディクテーションテキストデータに含まれているので（Ｓ１４で「Ｙｅｓ」へ進む）、入力されたディクテーションテキストデータを「テキストの簡略化」１０４に格納されたテキストデータに置き換える（Ｓ１５）。上記の例では、キーワード１「部位１」、キーワード２「問題無し」の場合の「テキストの簡略化」に格納されたデータは「問題無し」であるので、これに置き換える。
【００８８】
次に、ＣＰＵ５５は、図７においてキーワード１に対応する「電子カルテへの登録座標」を検索し（Ｓ１６）、その検索された電子カルテファイルの座標へＳ１５で置換したテキストデータを登録する（Ｓ１７）。上記の例では、「キーワード１：部位１」に対応する「電子カルテへの登録座標」は、「４００×２００」であるので、この座標へＳ１５で置換したデータ「問題無し」を登録する。
【００８９】
そうすると、電子カルテファイル１１０には、「部位１：問題無し」と出力されている（図８（ａ）参照）。
次に、医師がマイク５０から、例えば「部位２に腫瘍発見」という音声を入力した場合について説明する。上述の通り、ディクテーション機能によりその音声がテキスト化される。音声の入力が終了すると、ディクテーション機能によるテキスト化が終了する。つまり、ディクテーションテキストデータの入力が終了する（Ｓ１１）。
【００９０】
次に、ＣＰＵ５５は、このディクテーションテキストデータに、関連付けテーブル１００の「キーワード１」１０１に格納されているキーワード１（例えば、「部位１」、「部位２」  等）が含まれているかを検索する（Ｓ１２）。
【００９１】
検索の結果、ＣＰＵ５５は、ディクテーションテキストデータにキーワードが含まれているか否かを判断する（Ｓ１３）。Ｓ３でキーワードが含まれていない場合（Ｓ１３で「Ｎｏ」へ進む）には、本フローは終了する。
【００９２】
上記の例では、「部位２に腫瘍発見」というディクテーションテキストデータ中にキーワード１の「部位２」が含まれているので（Ｓ１３で「Ｙｅｓ」へ進む）、さらに、このディクテーションテキストデータが、キーワード１、及びこのキーワード１に対応するキーワード２と一致するかを判断する（Ｓ１４）。
【００９３】
図７より「キーワード１：部位２」に対応するキーワード２は「問題無し」であるが、これらのキーワードの組み合わせは、ディクテーションテキストデータに含まれていないので（Ｓ１４で「Ｎｏ」へ進む）、ＣＰＵ５５は、図７においてキーワード１に対応する「電子カルテへの登録座標」１０３を検索し（Ｓ１６）、その検索された登録座標へそのディクテーションテキストデータを登録する（Ｓ１７）。上記の例では、「キーワード１：部位２」に対応する「電子カルテへの登録座標」は、「４００×４００」であるので、この座標へディクテーションテキストデータ「部位２に腫瘍発見」を出力する。
【００９４】
そうすると、電子カルテ１１０には、「部位２に腫瘍発見」と出力されている（図８（ｂ）参照）。
図８（ｃ）は、医師がマイク５０から、例えば「部位３は問題無し」という音声を入力した場合であり、図８（ａ）と同様のフローで処理されたものである。図８（ｄ）は、医師がマイク５０から、例えば「部位Ｘに摘出跡」という音声を入力した場合であり、図８（ｂ）と同様のフローで処理されたものである。
【００９５】
なお、第１の実施形態ではキーワードを１つまたは２を用いたが、さらにキーワードを増やしもよい。また、これらのキーワードの内容は、本実施形態に限定されず、用途に応じて変更するも可能である。また、関連付けテーブルには、電子カルテへの登録座標を格納したが、座標に限られず、出力先のファイル上の所定の位置を特定できるものであれば何でも良い。また、同一の電子カルテファイル内で同一のキーワードに対するディクテーションテキストデータが複数入力された場合には、改行して既に登録されているディクテーションテキストデータの次の行に順次登録するようにしてもよい。
【００９６】
以上より、正常なデータは予め登録されたデータに置き換えて電子カルテに登録し、異常なデータ（注意すべき情報）は、ディクテーションされたそのままの情報を電子カルテに登録することができるので、データの登録漏れがなくなり、さらに、正常／異常の識別が容易に行うことができる。
【００９７】
＜第２の実施形態＞
（実施例１）
本実施形態では、入力されたディクテーションテキストデータの中に全てのキーワードが含まれている場合は、表示パネルの特定の位置に、それらのキーワードに応じたディクテーションテキストデータを表示する。では、詳細を以下に示す。
【００９８】
図１０は、本実施形態におけるキーワードと表示座標との関連付けテーブルを示す。関連付けテーブル１２０は、項目「キーワード１」１２１、項目「キーワード２」１２２、項目「キーワード３」１２３、項目「パネルへの表示座標」１２４、及び、項目「テキスト表示」１２５から構成されている。関連付けテーブル１２０は、メモリ５９に格納されている。
【００９９】
「キーワード１」１２１には、例えば、「部位１」、「部位２」、「部位３」、・・・「部位Ｘ」等の生体内の所定の部位の名称等のキーワードが格納されている。
「キーワード２」１２２には、例えば、各キーワード１に対応して「切除」が格納されている。「キーワード２」１２２には、キーワード１に格納されている部位に対する処置についての情報が格納されている。
【０１００】
項目「キーワード３」１２３には、例えば、各キーワード１または各キーワード２に対応して「完了」が格納されている。「キーワード３」１２３には、キーワード２に格納されている処置の進行状況についての情報が格納されている。
【０１０１】
「パネルへの表示座標」１２４には、キーワード１に対応する表示パネル３３への表示座標（Ｘ軸×Ｙ軸）が格納されている。例えば、キーワード１「部位１」に対応する表示座標には「４００×２００」が格納されており、キーワード１「部位２」に対応する表示座標には「４００×４００」が格納されている。なお、この表示座標とは、例えば表示パネル上の座標を示し、この座標で表された位置に後述する所定のテキストを出力（表示）する。「テキスト表示」１２５には、例えば、各キーワード１に対応して「処置完了」が格納されている。
【０１０２】
この関連付けテーブル１２０を用いることにより、「キーワード１」と「キーワード２」と「キーワード３」を含むディクテーションテキストデータが入力された場合には、それらに対応する「パネルへの表示座標」に「テキストの簡略化」を登録することができる。また、キーワード１」のみを含むディクテーションテキストデータが入力された場合には、それに対応する「パネルへの表示座標」にそのディクテーションテキストデータを表示させることができる。
【０１０３】
図１１は、本実施形態における集中表示パネル２１の表示例を示す。同図において、集中表示パネル２１は、接続周辺機器ステータス表示部７０、手術進行状況表示部１３０、ディクテーションテキスト表示部７２、内視鏡画像表示部７３から構成される。図１１は、図３のディクテーション機能表示部７１を手術進行状況表示部１３０に置き換えたものである。手術進行状況表示部１３０には、部位１の処置が完了したか、部位２の処置が完了したか等の各部位について手術の進行状況を表示させる表示領域である。
【０１０４】
図１２は、本実施形態におけるディクテーションテキストデータを表示パネルへ表示させるフローを示す。このフローは、例えばメモリ５９に格納されている所定のプログラムをＣＰＵ５５が読み出して起動させることにより、実行される。以下では、図１１を参照しながら、図１２のフローについて説明する。
【０１０５】
まず、医師がマイク５０から、例えば「部位１の切除が完了」という音声を入力すると、ディクテーション機能によりその音声がテキスト化される。そのディクテーションテキストデータが表示パネル２１のディクテーションテキスト表示部７２に表示される（Ｓ２１）。音声の入力が終了すると、ディクテーション機能によるテキスト化が終了する。つまり、テキスト化されたテキストデータの入力が終了する（Ｓ２２）。
【０１０６】
次に、ＣＰＵ５５は、このディクテーションテキストデータに、関連付けテーブル１２０の「キーワード１」１２１に格納されているキーワード１（例えば、「部位１」、「部位２」  等）が含まれているかを検索する（Ｓ２３）。
【０１０７】
検索の結果、ＣＰＵ５５は、ディクテーションテキストデータにキーワードが含まれているか否かを判断する（Ｓ２４）。Ｓ２４でキーワードが含まれていない場合（Ｓ２４で「Ｎｏ」へ進む）には、本フローは終了する。
【０１０８】
上記の例では、「部位１の切除が完了」というディクテーションテキストデータ中にキーワード１の「部位１」が含まれているので（Ｓ２４で「Ｙｅｓ」へ進む）、さらに、このディクテーションテキストデータが、キーワード１、キーワード２、及び。キーワード３と一致するものを含むかを判断する（Ｓ２５）。Ｓ２５でキーワード１、２、および３が全て含まれていない場合（Ｓ２５で「Ｎｏ」へ進む）には、本フローは終了する。
【０１０９】
図１０より「キーワード１：部位１」に対応するキーワード２及び３は「切除、完了」であり、これらのキーワードは上記の例ではディクテーションテキストデータに含まれているので（Ｓ２５で「Ｙｅｓ」へ進む）、入力されたディクテーションテキストデータを「テキスト表示」１２５に格納されたテキストデータに置き換える（Ｓ２６）。上記の例では、「キーワード１：部位１、キーワード２：切除、キーワード３：完了」の場合の「テキスト表示」に格納されたデータは「処置完了」であるので、入力されたディクテーションテキストデータを「処置完了」に置き換える。
【０１１０】
次に、ＣＰＵ５５は、図１０においてキーワード１に対応する「パネルへの表示座標」を検索し（Ｓ２７）、その検索された表示パネルの座標へＳ２６で置換したテキストデータを表示させる（Ｓ２８）。上記の例では、「キーワード１：部位１」に対応する「パネルへの表示座標」は、「４００×２００」であるので、この座標へＳ２６で置換したデータ「処置完了」を出力する。
【０１１１】
そうすると、図１１で示すように、表示パネル２１の手術進行状況表示部１３０には、「部位１：処置完了」が表示されている。その後、ディクテーション機能開始時にディクテーションテキスト表示部７２に表示させたディクテーションテキストデータを消去する（Ｓ２９）。
【０１１２】
以上より、容易に検査完了の有無を確認することができる。また、検査完了の有無を確認する際に、表示パネルから目を離さずに確認することができるので、検査・手術を効率よく行うことができる。
【０１１３】
（実施例２）
次に、上記の第２の実施形態の実施例１の変形例について説明する。この実施例２では、入力されたディクテーションテキストデータの中に全てのキーワードが含まれている場合は、表示パネルの特定の位置に、それらのキーワードに応じたディクテーションテキストデータを様々な態様で表示させる。
【０１１４】
図１３は、本実施形態の実施例２における集中表示パネル２１の表示例を示す。図１１と異なる部分は、手術進行状況表示部１３０に表示される一部のテキストが拡大して表示されている部分である。すなわち、１４０で表される「部位１：処置完了」が他のテキストと比べて拡大表示されている。この１４０で示される拡大されたテキスト表示は、手術進行状況表示部１３０内に表示されるテキストのうち最新に更新されたことを示している。
【０１１５】
図１４は、本実施形態の実施例２におけるディクテーションしてテキスト化された音声情報を表示パネルへ表示させるフローを示す。このフローは、例えばメモリ５９に格納されている所定のプログラムをＣＰＵ５５が読み出して起動させることにより、実行される。以下では、図１３を参照しながら、図１４のフローについて説明する。
【０１１６】
図１４は、図１２のＳ２８をＳ２８−１の処理に置き換えたものである。Ｓ２８−１では、Ｓ２７で検索された表示座標へＳ２６で置換したテキストデータを表示させる場合に、そのテキストデータを拡大して表示させたり、色を変更して表示させたり、点灯等させたりしてもよい。なお、このとき、それまで拡大して表示されていた、または色を変更して表示されていたテキストデータは、もとの表示態様に戻す処理を行う。
【０１１７】
なお、第２の実施形態ではキーワードを３を用いたが、１または２個のキーワード、または４個以上のキーワードを使用しても良い。また、これらのキーワードの内容は、本実施形態に限定されず、用途に応じて変更するも可能である。また、関連付けテーブルには、電子カルテへの登録座標を格納したが、座標に限られず、出力先のファイル上の所定の位置を特定できるものであれば何でも良い。また、同一の電子カルテファイル内で同一のキーワードに対するディクテーションテキストデータが複数入力された場合には、改行して既に登録されているディクテーションテキストデータの次の行に順次登録するようにしてもよい。
【０１１８】
以上より、手術進行状況表示部１３０内に表示されるテキストのうち最新に更新されたテキストを容易に認識することができるので、効率よく検査・手術等を行うことができる。
【０１１９】
＜第３の実施形態＞
本実施形態では、表示パネルに表示されたディクテーションテキストを、音声コマンド制御機能を用いて、表示／非表示としたり、表示を変更させたり等の表示形態を制御するする方法について説明する。
【０１２０】
図１５は、本実施形態におけるコマンド一覧を示す。音声コマンド制御機能は、第１コマンドと第２コマンドの２つのコマンドを認識することで、表示パネルに表示されたディクテーションテキストの表示態様を制御する。このコマンド一覧は、音声認識回路５６内の。ナビゲーションコマンドメモリに格納されている。
【０１２１】
第１コマンドには、表示態様の種類（例えば、「データの表示」、「データの位置」、「データのサイズ」、「データの色」、等）を示している。第２コマンドは、第１コマンドで特定された用事態様の制御について示している。例えば、「データの表示、表示ＯＦＦ」と発音すると、音声認識回路５６及びＣＰＵ５５でコマンドが解析され、第１コマンド「データの表示」、第２コマンド「表示ＯＦＦ」であることが認識される。すると、ＣＰＵ５５は、表示パネルに表示されているディクテーションテキストを非表示にする。
【０１２２】
図１６は、本実施形態における集中表示パネル２１の表示例を示す。ディクテーションテキストデータ「部位１の切除が完了」は、音声コマンド制御前では７２ａの位置（内視鏡画像表示部７３の右上）にあった（図１１参照）。それから、音声ディクテーション用コントローラ４９を用いて、ディクテーションモードから音声コマンド制御モードへ切り替えた後、マイク５０より「データの位置、左下」と音声を入力すると、７２ｂの位置（内視鏡画像表示部７３の左下）に移動させることができる。
【０１２３】
以上より、ディクテーションテキストデータが内視鏡観察の邪魔になるときは、そのディクテーションテキストデータを非表示にしたり、表示位置を変更したり等の表示態様を容易に変更することができるため、効率よく観察を行うことができる。なお、カメラヘッドに設けた所定のスイッチにより、ディクテーションテキストデータの表示／非表示を制御しても良い。
【図面の簡単な説明】
【０１２４】
【図１】第１の実施形態における内視鏡手術システムの全体構成を示す図である。
【図２】図１の内視鏡手術システムを構成する各医療機器の接続関係を示すブロック図である図である。
【図３】第１の実施形態の実施例１における集中表示パネル２１の表示例を示す図である。
【図４】第１の実施形態の実施例１における「キーワード」と「電子カルテへの登録座標」との関連付けテーブルを示す図である。
【図５】第１の実施形態の実施例１における電子カルテファイルへの登録例を示す図である。
【図６】第１の実施形態の実施例１におけるディクテーションテキストデータを電子カルテファイルへ登録するフローを示す図である。
【図７】第１の実施形態の実施例２におけるキーワードと登録座標との関連付けテーブルを示す図である。
【図８】第１の実施形態の実施例２における電子カルテファイルへの登録例を示す図である。
【図９】第１の実施形態の実施例２におけるディクテーションテキストデータを電子カルテファイルへ登録するフローを示す図である。
【図１０】第２の実施形態の実施例１におけるキーワードと表示座標との関連付けテーブルを示す図である。
【図１１】第２の実施形態の実施例１における集中表示パネル２１の表示例を示す図である。
【図１２】第２の実施形態の実施例１におけるディクテーションテキストデータを表示パネルへ表示させるフローを示す図である。
【図１３】第２の実施形態の実施例２における集中表示パネル２１の表示例を示す図である。
【図１４】第２の実施形態の実施例２におけるディクテーションしてテキスト化された音声情報を表示パネルへ表示させるフローを示す図である。
【図１５】第３の実施形態におけるコマンド一覧を示す図である。
【図１６】第３の実施形態における集中表示パネル２１の表示例を示す図である。
【符号の説明】
【０１２５】
１      内視鏡手術システム
２      第１の内視鏡手術システム
３      第２の内視鏡手術システム
１１    内視鏡表示パネル
１２    第１の医療用トロリー
１３    電気メス装置
１４    送気装置（気腹装置）
１５    内視鏡光源装置
１６    ビデオプロセッサ
１７    ＶＴＲ
１８    ガスボンベ
１９    患者ベッド
２０    内視鏡表示パネル
２１    集中表示パネル
２２    システムコントローラ
２４    リモコン
２５    第２の医療用トロリー
２６    内視鏡光源装置
２７    ビデオプロセッサ
２８    中継ユニット
２９    ケーブル
３０    患者
３１    第１の内視鏡
３１ａ  第１のカメラヘッド
３２    第２の内視鏡
３２ａ  第２のカメラヘッド
３３    集中操作パネル
３５    内視鏡表示パネル
３８    通信ケーブル
３９    映像ケーブル
４０    トロリー棚
４１    トロリートッププレート
４２    トロリー棚
４３    トロリートッププレート
５０    マイク
５１    通信Ｉ／Ｆ
５２    ディスプレイＩ／Ｆ
５３    集中操作パネルＩ／Ｆ
５４    リモコンＩ／Ｆ
５５    ＣＰＵ
５６    音声認識回路
５７    音声合成回路
５８    スピーカ
５９    メモリ
６０    プリンタ
６１    超音波観察装置
６２    ＶＴＲ
６３    シェーバ
６４    ポンプ
６５    超音波処理装置
【図１】
2006221583.tif 000003
【図２】
2006221583.tif 000004
【図３】
2006221583.tif 000005
【図４】
2006221583.tif 000006
【図５】
2006221583.tif 000007
【図６】
2006221583.tif 000008
【図７】
2006221583.tif 000009
【図８】
2006221583.tif 000010
【図９】
2006221583.tif 000011
【図１０】
2006221583.tif 000012
【図１１】
2006221583.tif 000013
【図１２】
2006221583.tif 000014
【図１３】
2006221583.tif 000015
【図１４】
2006221583.tif 000016
【図１５】
2006221583.tif 000017
【図１６】
2006221583.tif 000018
【手続補正書】
【提出日】平成17年3月2日(2005.3.2)
【手続補正１】
【補正対象書類名】明細書
【補正対象項目名】全文
【補正方法】変更
【補正の内容】
【発明の詳細な説明】
【技術分野】
【０００１】
本発明は、医療機器に使用される電子機器を音声により制御可能な医療支援システムに関する。
【背景技術】
【０００２】
近年では内視鏡を用いた外科手術が行われている。この内視鏡外科手術では、腹腔内を膨張させるために用いる気腹装置や手技を行うための処置装置等を用いて、ある生体組織の切除をしたり、または高周波焼灼装置を用いて止血をしたりする場合、内視鏡で観察しながらこれらの処置を行うことができる。
【０００３】
また、これら複数の各種機器を備えた内視鏡手術システムにおいて、複数の装置を容易に操作、制御することができ、またシステムの操作力性を向上させるため、例えば、表示パネル、遠隔操作装置、集中操作パネル、マイク等の機器を備えている（例えば、特許文献１、特許文献２、特許文献３。）。
【０００４】
表示パネルは、術者が滅菌域で各種機器の設定状態を確認するための表示手段であって、例えば液晶パネルなどである。遠隔操作装置は、術者が滅菌域で操作し各種機器の機能または設定値を変更するための遠隔操作手段であって、例えばリモコン（リモートコントローラ）である。集中操作パネルは、術者の指示に従って看護師等の補助者が非滅菌域で操作し各種機器の機能または設定値を変更するための各機器の操作スイッチをタッチパネルに設けた集ものである。マイクは、音声で各種機器を操作するために用いられる。
【０００５】
上記の通り、最近では、音声認識によりユーザの発音を認識し、接続機器の操作を行う機能（音声コマンド制御機能）や、術中・検査中に術者が発音した所見内容を音声認識しテキストデータに変換し電子カルテ等の作成に役立てるディクテーション（Ｄｉｃｔａｔｉｏｎ）機能を備える内視鏡システムが存在する。
【特許文献１】特開２００２−３３６１８４号公報
【特許文献２】特開２００１−３４４３４６号公報
【特許文献３】特開２００３−２７１１７６号公報
【発明の開示】
【発明が解決しようとする課題】
【０００６】
従来の内視鏡システムにおいて、患者のカルテへの検査結果の記載は、医師または看護師がペン、キーボード等を使用して手入力で行っており、音声認識によるディクテーションにより入力されたテキストデータを、患者の電子カルテに反映させていなかった。
【０００７】
また、検査部位の検査が完了したかどうかの判別は、音声認識によるディクテーションとは関連付けられていなかった。そのため、検査完了を確認する場合は、内視鏡の観察用モニターから視線を外さなければならなかった。
【０００８】
また、従来の内視鏡システムにおいて、音声認識を活用したディクテーションをおこなったテキストデータを、内視鏡画像上に重畳する技術はあったが、その重畳されたテキストデータの表示／非表示を制御する機能はなかった。
【０００９】
上記の課題に鑑み、本発明では、容易に音声認識によるディクテーションにより入力されたテキストデータを電子カルテに容易に登録することができることができる医療支援システムを提供する。また、ディクテーションにより入力された検査等の進行状況を表示パネルに表示させることができる医療支援システムを提供する。また、ディクテーションにより入力されたテキストデータの表示態様を制御することができる医療支援システムを提供する。
【課題を解決するための手段】
【００１０】
上記課題は、特許請求の範囲の請求項１に記載の発明によれば、医療に関する情報を所定の媒体に出力する医療支援システムにおいて、音声が入力される音声入力手段と、前記音声入力手段により入力された前記音声を認識して、該音声を文字化する音声文字化手段と、生体内の部位に関する情報である部位情報と前記媒体上の所定の位置を示す位置情報とが格納された部位出力位置情報格納手段と、前記音声文字化手段により文字化された音声入力文字情報に、前記部位情報が含まれているかを判定する判定手段と、前記判定手段による判定結果に基づいて、前記位置情報の示す前記媒体上の位置に、所定の文字情報を出力する出力手段と、を備えることを特徴とする医療支援システムを提供することによって達成できる。
【００１１】
上記課題は、特許請求の範囲の請求項２に記載の発明によれば、前記媒体は、電子カルテファイルであるか、または情報を表示する表示手段を有しているものであることを特徴とする請求項１に記載の医療支援システムを提供することによって達成できる。
【００１２】
上記課題は、特許請求の範囲の請求項３に記載の発明によれば、前記所定の文字情報は、前記音声入力文字情報であることを特徴とする請求項１に記載の医療支援システムを提供することによって達成できる。
【００１３】
上記課題は、特許請求の範囲の請求項４に記載の発明によれば、前記部位出力位置情報格納手段は、さらに、前記部位の状態に関する情報である部位状態情報と前記音声入力文字情報を簡略化した情報である文字簡略化情報とを格納し、前記判定手段は、前記音声入力文字情報に前記部位情報と前記部位状態情報とが含まれているかを判定し、前記出力手段は、前記判定手段による判定結果に基づいて、前記位置情報の示す前記媒体上の位置に、前記文字簡略化情報を出力することを特徴とする請求項１に記載の医療支援システムを提供することによって達成できる。
【００１４】
上記課題は、特許請求の範囲の請求項５に記載の発明によれば、前記部位出力位置情報格納手段は、さらに、前記部位の状態に関する情報である部位状態情報と前記音声入力文字情報を簡略化した情報である文字簡略化情報とを格納し、前記判定手段は、前記音声入力文字情報に前記部位情報と前記部位状態情報とが含まれているかを判定し、前記出力手段は、前記判定手段による判定結果に基づいて、前記位置情報の示す前記媒体上の位置に、前記音声入力文字情報を出力することを特徴とする請求項１に記載の医療支援システムを提供することによって達成できる。
【００１５】
上記課題は、特許請求の範囲の請求項６に記載の発明によれば、前記部位出力位置情報格納手段は、さらに、前記部位に対する作用に関する情報である部位作用情報と、該作用の結果に関する情報である作用結果情報と、前記媒体に出力させる該作用結果情報に相当する出力用作用結果情報を格納し、前記判定手段は、前記音声入力文字情報に前記部位情報と前記部位作用情報と前記作用結果情報とが含まれているかを判定し、前記出力手段は、前記判定手段による判定結果に基づいて、前記位置情報の示す前記媒体上の位置に、前記出力用作用結果情報を出力することを特徴とする請求項１に記載の医療支援システムを提供することによって達成できる。
【００１６】
上記課題は、特許請求の範囲の請求項７に記載の発明によれば、前記出力手段は、前記出力用作用結果情報を前記位置情報の示す前記媒体上の位置に出力する場合、該出力用作用結果情報の表示態様を変化させて出力することを特徴とする請求項６に記載の医療支援システムを提供することによって達成できる。
【００１７】
上記課題は、特許請求の範囲の請求項８に記載の発明によれば、医療に関する情報を所定の媒体に出力する医療支援システムにおいて、音声が入力される音声入力手段と、前記音声入力手段により入力された前記音声を認識して、該音声を文字化する音声文字化手段と、前記音声文字化手段により文字化された文字情報である音声入力文字情報を出力する出力手段と、前記音声入力手段により入力された前記音声による前記出力される前記音声入力文字情報の表示態様に関する指示情報を認識する音声指示認識手段と、音声指示認識手段により認識された前記指示情報に基づいて、前記出力される前記音声入力文字情報の表示態様を制御する表示態様制御手段と、を備えることを特徴とする医療支援システムを提供することによって達成できる。
【００１８】
上記課題は、特許請求の範囲の請求項９に記載の発明によれば、医療に関する情報を所定の媒体に出力する医療支援方法において、音声を入力し、前記入力された前記音声を認識して、該音声を文字化し、生体内の部位に関する情報である部位情報と前記媒体上の所定の位置を示す位置情報とを記憶装置に格納し、前記音声が文字化された音声入力文字情報に、前記部位情報が含まれているかを判定し、前記判定結果に基づいて、前記位置情報の示す前記媒体上の位置に、所定の文字情報を出力することを特徴とする医療支援方法を提供することによって達成できる。
【００１９】
上記課題は、特許請求の範囲の請求項１０に記載の発明によれば、前記所定の文字情報は、前記音声入力文字情報であることを特徴とする請求項９に記載の医療支援方法を提供することによって達成できる。
【００２０】
上記課題は、特許請求の範囲の請求項１１に記載の発明によれば、さらに、前記部位の状態に関する情報である部位状態情報と前記音声入力文字情報を簡略化した情報である文字簡略化情報を前記記憶装置に格納し、前記音声入力文字情報に前記部位情報と前記部位状態情報とが含まれているかを判定し、前記判定結果に基づいて、前記位置情報の示す前記媒体上の位置に、前記文字簡略化情報を出力することを特徴とする請求項９に記載の医療支援方法を提供することによって達成できる。
【００２１】
上記課題は、特許請求の範囲の請求項１２に記載の発明によれば、さらに、前記部位の状態に関する情報である部位状態情報と前記音声入力文字情報を簡略化した情報である文字簡略化情報とを前記記憶装置に格納し、前記音声入力文字情報に前記部位情報と前記部位状態情報が含まれているかを判定し、前記判定結果に基づいて、前記位置情報の示す前記媒体上の位置に、前記音声入力文字情報を出力することを特徴とする請求項９に記載の医療支援方法を提供することによって達成できる。
【００２２】
上記課題は、特許請求の範囲の請求項１３に記載の発明によれば、さらに、前記部位に対する作用に関する情報である部位作用情報と、該作用の結果に関する情報である作用結果情報と、前記媒体に出力させる該作用結果情報に相当する出力用作用結果情報とを前記記憶装置に格納し、前記音声入力文字情報に前記部位情報と前記部位作用情報と前記作用結果情報とが含まれているかを判定し、前記判定結果に基づいて、前記位置情報の示す前記媒体上の位置に、前記出力用作用結果情報を出力することを特徴とする請求項９に記載の医療支援方法を提供することによって達成できる。
【００２３】
上記課題は、特許請求の範囲の請求項１４に記載の発明によれば、前記出力用作用結果情報を前記位置情報の示す前記媒体上の位置に出力する場合、該出力用作用結果情報の表示態様を変化させて出力することを特徴とする請求項１３に記載の医療支援方法を提供することによって達成できる。
【００２４】
上記課題は、特許請求の範囲の請求項１５に記載の発明によれば、医療に関する情報を所定の媒体に出力する医療支援方法において、音声を入力し、前記入力された前記音声を認識して、該音声を文字化し、前記文字化された音声入力文字情報を出力する出力手段と、前記入力された前記音声による前記出力される前記音声入力文字情報の表示態様に関する指示情報を認識し、前記指示情報に基づいて、前記出力される前記音声入力文字情報の表示態様を制御することを特徴とする医療支援方法を提供することによって達成できる。
【００２５】
上記課題は、特許請求の範囲の請求項１６に記載の発明によれば、医療に関する情報を所定の媒体に出力する医療支援システムを構成する医療機器間の通信を制御するシステムコントローラにおいて、音声が入力される音声入力手段と、前記音声入力手段により入力された前記音声を認識して、該音声を文字化する音声文字化手段と、生体内の部位に関する情報である部位情報と前記媒体上の所定の位置を示す位置情報とが格納された部位出力位置情報格納手段と、前記音声文字化手段により文字化された音声入力文字情報に、前記部位情報が含まれているかを判定する判定手段と、前記判定手段による判定結果に基づいて、前記位置情報の示す前記媒体上の位置に、所定の文字情報を出力する出力手段と、を備えることを特徴とするシステムコントローラを提供することによって達成できる。
【００２６】
上記課題は、特許請求の範囲の請求項１７に記載の発明によれば、医療に関する情報を所定の媒体に出力する医療支援システムを構成する医療機器間の通信を制御するシステムコントローラにおいて、音声が入力される音声入力手段と、前記音声入力手段により入力された前記音声を認識して、該音声を文字化する音声文字化手段と、前記音声文字化手段により文字化された文字情報である音声入力文字情報を出力する出力手段と、前記音声入力手段により入力された前記音声による前記出力される前記音声入力文字情報の表示態様に関する指示情報を認識する音声指示認識手段と、音声指示認識手段により認識された前記指示情報に基づいて、前記出力される前記音声入力文字情報の表示態様を制御する表示態様制御手段と、を備えることを特徴とするシステムコントローラを提供することによって達成できる。
【発明の効果】
【００２７】
本発明を用いることにより、検査中または検査後に患者カルテを記載する手間を省くことができる。
また、容易に検査完了の有無を確認することができる。また、検査完了の有無を確認する際に、観察モニタから目を離さずに確認することができるので、検査・手術を効率よく行うことができる。
【００２８】
また、内視鏡手術等の進行状況に応じて、表示パネルに表示されるディクテーションテキストデータの表示態様を、音声コマンドで制御することができるので、効率よく観察を行うことができる。
【発明を実施するための最良の形態】
【００２９】
本発明にかかる医療に関する情報を所定の媒体に出力する医療支援システムは、音声入力手段と、音声文字化手段と、部位出力位置情報格納手段と、判定手段と、出力手段とを備えている。
【００３０】
所定の媒体は、例えば、電子カルテファイルまたは表示装置など情報を表示する表示手段等である。音声入力手段とは、音声が入力されるものであり、例えば、マイクまたはシステムコントローラ側についているマイクとのインターフェース等である。音声文字化手段とは、前記音声入力手段により入力された前記音声を認識して、該音声を文字化するものであり、例えば、音声認識回路である。
【００３１】
第１の実施形態にかかる本発明は、次のものである。部位出力位置情報格納手段には、生体内の部位に関する情報である部位情報（図４、図７、図１０で言えば「キーワード」に対応する）と前記媒体上の所定の位置を示す位置情報（例えば、座標等）とが格納されている。部位出力位置情報格納手段は、以下の実施形態では、例えば、図４、図７、図１０に示す関連付けテーブルを格納した記憶装置である。
【００３２】
判定手段は、前記音声文字化手段により文字化された音声入力文字情報（すなわち、ディクテーションテキストデータである）に、前記部位情報が含まれているかを判定するものであり、ＣＰＵにより実行される。
【００３３】
出力手段は、前記判定手段による判定結果に基づいて、前記位置情報の示す前記媒体上の位置に、所定の文字情報を出力するものであり、例えば、所定の媒体に出力するための各種インターフェース等のことである。ここで、所定の文字情報とは、後述するように、ディクテーションテキストデータ、または図７の関連付けテーブルの「テキストの簡略化」に格納されたテキストデータ、または図１０の関連付けテーブルの「テキスト表示」に格納されたテキストデータを示す。
【００３４】
前記部位出力位置情報格納手段は、さらに、前記部位の状態に関する情報である部位状態情報（図７で言えば「キーワード２」に対応する）と前記音声入力文字情報を簡略化した情報である文字簡略化情報（図７の関連付けテーブルの「テキストの簡略化」に対応する）とを格納している。前記判定手段は、前記音声入力文字情報に前記部位情報と前記部位状態情報とが含まれているかを判定する。前記出力手段は、前記判定手段による判定結果に基づいて、前記位置情報の示す前記媒体上の位置に、前記文字簡略化情報または前記音声入力文字情報を出力する。
【００３５】
第２の実施形態にかかる本発明は、次のものである。前記部位出力位置情報格納手段は、さらに、前記部位に対する作用に関する情報である部位作用情報（図１０の関連付けテーブルの「キーワード２」に対応する）と、該作用の結果に関する情報である作用結果情報（図１０の関連付けテーブルの「キーワード３」に対応する）と、前記媒体に出力させる該作用結果情報に相当する出力用作用結果情報（図１０の関連付けテーブルの「テキスト表示」に対応する）を格納している。前記判定手段は、前記音声入力文字情報に前記部位情報と前記部位作用情報と前記作用結果情報とが含まれているかを判定する。前記出力手段は、前記判定手段による判定結果に基づいて、前記位置情報の示す前記媒体上の位置に、前記出力用作用結果情報を出力する。
【００３６】
また、前記出力手段は、前記出力用作用結果情報を前記位置情報の示す前記媒体上の位置に出力する場合、該出力用作用結果情報の表示態様（例えば、図１３）を変化させて出力する。この表示態様の変化とは、例えば、出力用作用結果情報を示す文字の大きさを変化させたり、または色を変えたり、点灯等することである。  第３の実施形態にかかる本発明は、次のものである。第３の実施形態にかかる医療に関する情報を所定の媒体に出力する医療支援システムは、音声入力手段と、音声文字化手段と、出力手段と、音声指示認識手段と、表示態様制御手段とを備えている。
【００３７】
音声入力手段とは、音声が入力されるものであり、例えば、マイクまたはシステムコントローラ側についているマイクとのインターフェース等である。音声文字化手段とは、前記音声入力手段により入力された前記音声を認識して、該音声を文字化するものであり、例えば、音声認識回路のディクテーション機能を示す。出力手段とは、前記音声文字化手段により文字化された文字情報である音声入力文字情報（ディクテーションテキストデータ）を出力するものであり、例えば、表示装置に出力するための通信インターフェース等を示す。音声指示認識手段とは、前記音声入力手段により入力された前記音声による前記出力される前記音声入力文字情報の表示態様に関する指示情報を認識するものであり、例えば、音声認識回路の音声コマンド制御機能を示す。表示態様制御手段とは、音声指示認識手段により認識された前記指示情報に基づいて、前記出力される前記音声入力文字情報の表示態様を制御するものであり、例えば、ＣＰＵにより制御されるものである。
【００３８】
では、以下に各実施の形態について説明する。
＜第１の実施形態＞
本実施形態では、音声認識によるディクテーションにより入力したテキストデータを、テキストファイルの特定位置に自動的に登録する。では、詳細を以下に示す。
【００３９】
図１は、本実施形態における内視鏡手術システムの全体構成を示す。内視鏡手術システム１は、患者３０が横たわる患者ベッド１９の両側に、第１の内視鏡手術システム２及び第２の内視鏡手術システム３が配置されている。
【００４０】
これらの内視鏡手術システム２，３には、観察、検査、処置、記録などを行う複数の内視鏡周辺機器がそれぞれ第１の医療用トロリー１２及び第２の医療用トロリー２５に搭載されている。また、患者ベッド１９の周辺には、可動スタンドが配置され、その可動スタンドには内視鏡表示パネル２０が搭載されている。
【００４１】
第１の医療用トロリー１２には、最上段の天板のトロリートッププレート４１、中段に設けられたトロリー棚４０、最下段の底板部から構成されている。トロリートッププレート４１には、内視鏡表示パネル１１とシステムコントローラ２２が配置されている。トロリー棚４０にはＶＴＲ１７、ビデオプロセッサ１６、内視鏡光源装置１５が配置されている。底板部には、送気装置（気腹装置）１４、電気メス装置１３が配置されている。また、第１の医療用トロリー１２のアーム部には、集中操作パネル３３、集中表示パネル２１が配置されている。また、第１の医療用トロリー１２には、例えば不図示の超音波観測装置、またはプリンタ等を搭載しても良い。
【００４２】
集中操作パネル３３は、非滅菌域に配置され看護師等が各医療機器の操作を集中して行うものであって、図示しないマウスとタッチパネル等のポインティングデバイスを有したものであり、医療機器を集中管理・制御・操作するものである。
【００４３】
それぞれの医療機器は、図示しないシリアルインターフェイスケーブルを介してシステムコントローラ２２と接続され、双方向通信を行うことができる。また、システムコントローラ２２には、マイク５０を接続接続することができる。
【００４４】
システムコントローラ２２は、マイク５０から入力された音声を後述する音声認識回路４６及びＣＰＵ５５（図２参照）により認識する。そして、その音声を認識後にシステムコントローラ２２は、術者の音声により各機器を制御、もしくは認識結果をテキストとして表示したり、出力したりすることができる。
【００４５】
また、システムコントローラ２２には、音声ディクテーション用コントローラ４９を接続することができる。
内視鏡光源装置１５は、照明光を伝送するライトガイドケーブルを介して第１の内視鏡３１に接続されている。内視鏡光源装置１５の照明光は、第１の内視鏡３１のライトガイドに供給されると、この第１の内視鏡３１の挿入部が刺入された患者３の腹部内の患部等を照明する。
【００４６】
この第１の内視鏡３１の接眼部には、撮像素子を備えた第１のカメラヘッド３１ａが装着されている。第１のカメラヘッド３１ａ内の撮像素子を用いて、第１の内視鏡３１の観察光学系による患部等の光学像が撮像される。そうすると、その撮像した光学像データがカメラケーブルを介してビデオプロセッサ１６に伝送される。その光学像データはビデオプロセッサ１６内の信号処理回路で信号処理されて、映像信号が生成される。そして、その映像信号がシステムコントローラ２２を介して内視鏡表示パネル１１に出力されて、内視鏡表示パネル１１に患部等の内視鏡画像が表示される。
【００４７】
システムコントローラ２２には、図示しないＭＯ等の外部媒体記録装置が内蔵されている。これにより、システムコントローラ２２は、外部記録媒体（ＭＯ）に記録された画像を読み出して、内視鏡表示パネル１１に出力して表示させることができる。また、システムコントコーラ２２には、図示しない病院内に設けられたネットワーク（院内ネット）と図示しないケーブルで接続されている。これにより、システムコントローラ２２は、院内ネット上の画像データ等を取得して第１の内視鏡表示パネル１１に出力して表示させることができる。
【００４８】
気腹装置１４には、例えばＣＯ2等のガスボンベ１８が接続されている。そして、この気腹装置１４から患者３０に延びた気腹チューブ１４ａを介して患者３０の腹部内にＣＯ2ガスを供給できる。
【００４９】
第２の医療用トロリー２５には、最上段の天板のトロリートッププレート４３、中段に設けられたトロリー棚４２、最下段の底板部から構成されている。トロリートッププレート４３には、内視鏡表示パネル３５と中継ユニット２８が配置されている。トロリー棚４２にはＶＴＲ６２、ビデオプロセッサ２７、内視鏡光源装置２６が配置されている。底板部には、その他の医療機器、例えば、超音波処置装置、砕石装置、ポンプ、シェーバ等が搭載されている。それぞれの機器は、図示しないケーブルで中継ユニット２８に接続され、双方向の通信が可能になっている。
【００５０】
内視鏡光源装置２６は、照明光を伝送するライトガイドケーブルを介して第２の内視鏡３２に接続されている。内視鏡光源装置２６の照明光が、第２の内視鏡３２のライトガイドに供給される。そうすると、この第２の内視鏡３２の挿入部が刺入された患者３０の腹部内の患部等を照明する。
【００５１】
この第２の内視鏡３２の接眼部には、撮像素子を備えた第２のカメラヘッド３２ａが装着されている。第２のカメラヘッド３２ａ内の撮像素子を用いて、第２の内視鏡３２の観察光学系による患部等の光学像が撮像される。そうすると、その撮像した光学像データがカメラケーブルを介してビデオプロセッサ２７に伝送される。その光学像データはビデオプロセッサ２７内の信号処理回路で信号処理されて、映像信号が生成される。そして、その映像信号がシステムコントローラ２２を介して内視鏡表示パネル３５に出力されて、内視鏡表示パネル３５に患部等の内視鏡画像が表示される。
【００５２】
システムコントローラ２２と中継ユニット２８は中継ケーブル２９で接続されている。
さらに、システムコントローラ２２は、術者が滅菌域から機器操作を行う術者用無線リモートコントローラ（以下、リモコンと記す）２４により制御することもできる。また、第１の医療用トロリー１２，第２の医療用トロリー２５には、その他の機器（例えば、プリンタ、超音波観測装置等）も搭載することができる。
【００５３】
図２は、図１の内視鏡手術システムを構成する各医療機器の接続関係を示すブロック図である。同図に示すように、集中操作パネル３３、リモコン２４、ＶＴＲ１７、ビデオプロセッサ１６、内視鏡光源装置１５、気腹装置１４、電気メス装置１３、プリンタ６０（図１では不図示）、及び超音波観察装置６１（図１では不図示）はそれぞれ通信ケーブル３８によりシステムコントローラ２２の通信インターフェース（以下、インターフェースをＩ／Ｆと称する）５１と接続されている。システムコントローラ２２とこれらの各装置間では、データの送受が行われる。
【００５４】
また、ＶＴＲ１７、内視鏡表示パネル１１、ビデオプロセッサ１６、プリンタ６０及び超音波観測装置６１は、映像ケーブル３９によりシステムコントローラ２２のディスプレイＩ／Ｆ５２と接続されており、映像信号を送受できるようになっている。
【００５５】
ＶＴＲ６２、ビデオプロセッサ２７、内視鏡光源装置２６、シェーバ６３（図１では不図示）、ポンプ６４（図１では不図示）、超音波処理装置６５（図１では不図示）は、通信ケーブル３８により中継ユニット２８に接続されている。中継ユニット２８とこれらの各装置間では、データの送受が行われる。また、内視鏡表示パネル３５、ビデオプロセッサ２７及びＶＴＲ６２は、映像ケーブル３９により中継ユニット２８と接続されており、映像信号を送受できるようになっている。
【００５６】
また、中継ユニット２８は、ケーブル２９（図１参照）によりシステムコントローラ２２と接続されている。中継ユニット２８は、ケーブル２９内の通信ケーブル３８を介してシステムコントローラ２２の通信Ｉ／Ｆ５１に接続されている。また、中継ユニット２８は、ケーブル２９内の映像ケーブル３９を介してシステムコントローラ２２のディスプレイＩ／Ｆ５２に接続されている。
【００５７】
システムコントローラ２２は、通信Ｉ／Ｆ５１、ディスプレイＩ／Ｆ５２の他に、集中操作パネルＩ／Ｆ５３、音声合成回路５７、ＣＰＵ５５、メモリ５９、スピーカ５８、音声認識回路５６、リモコンＩ／Ｆ５４を備えている。
【００５８】
音声認識回路５６は、マイク５０からの音声信号を認識するものである。音声認識回路５６は、Ａ／Ｄ変換器と、入力音声メモリと、ナビゲーションコマンドメモリ、ディクテーション用のメモリ等から構成される。Ａ／Ｄ変換器５１では、マイク５０からの音声信号をＡ／Ｄ変換する。入力音声メモリ５２では、Ａ／Ｄ変換器５１でＡ／Ｄ変換された入力音声データを記憶する。ナビゲーションコマンドメモリには、ＣＰＵ５５が入力音声メモリに記憶された音声データが所定のコマンドデータであるかどうかを比較するためのナビゲーションコマンドデータを格納している。ディクテーション用のメモリには、ＣＰＵ５５が入力音声メモリに記憶された音声データが所定のディクテーションテキストデータ（ディクテーションテキストデータ：音声をディクテーション機能により音声認識させてテキスト化したデータのことをいう。以下、同じ）と一致するかを比較するための音声文言テーブルを格納している。
【００５９】
リモコンＩ／Ｆ５４は、リモコン２４とのデータの送受を行うものである。音声合成回路５７は、音声を合成しスピーカ５８より音声を発せさせるものである。集中操作パネルＩ／Ｆ５３は、集中操作パネル３３とのデータの送受を行うものである。これら各回路がＣＰＵ５５により制御されている。
【００６０】
また、システムコントローラ２２には外部記録媒体が接続可能となっており、ＣＰＵ５５より画像データを外部記録媒体（図示せず）に記録・再生できる。また、システムコントローラ２２は、不図示のネットワークＩ／Ｆを備えている。これにより、ＷＡＮ（ワールドエリアネットワーク）、ＬＡＮ（ローカルエリアネットワーク）、インターネット、イントラネット、エクストラネット等のネットワークにも接続することができ、これら外部のネットワークとの間でデータの送受ができる。
【００６１】
なお、システムコントローラ２２には、第１の内視鏡３１、第２の内視鏡３２の各種類に応じた内視鏡操作画面レイアウトやモニター画質設定が登録されており、第１の内視鏡３１または第２の内視鏡３２が接続された時、内視鏡の種類の判別を行うと供に、接続された内視鏡に応じた画面レイアウトやモニター画質設定を自動的に行う。また、内視鏡の各種類に応じた内視鏡操作画面レイアウトやモニター画質設定の登録場所は、システムコントローラ２２に接続する院内サーバや外付けハードディスク等の外部記録装置（ここでは記載しない）でも良い。
【００６２】
また、音声ディクテーション用コントローラ４９には、音声ディクテーション機能の開始／停止用ボタンが複数用意されており、音声ディクテーションソフトウェアに依存したディクテーション入力の他に、カナ文字入力、ひらがな文字入力等のディクテーション入力を選択して行うことができる。これらの音声ディクテーション機能の開始／停止は、音声ディクテーション用コントローラ４９だけではなく、リモートコンローラ２３や第１の内視鏡３１、第２の内視鏡３２に用意された操作ボタン、及びマイク５０を使用した音声操作も可能である。マイク５０を使用した音声操作による音声ディクテーション機能の開始／停止とは、例えば、カナ変換したい文言の前に「カナ変換」と発話することにより、以降の文言が必ずカナ変換されることである。
【００６３】
（実施例１）
図３は、本実施形態における集中表示パネル２１の表示例を示す。同図において、集中表示パネル２１は、接続周辺機器ステータス表示部７０、ディクテーション機能表示部７１、ディクテーションテキスト表示部７２、内視鏡画像表示部７３から構成される。
【００６４】
接続周辺機器ステータス表示部７０には、システムコントローラに接続されている医療機器（例えば、気腹装置１４、電気メス装置１３等）の設定値や測定値が表示される。ディクテーション機能表示部７１には、ディクテーションを開始しているか、入力モードが何か（例えば、漢字で入力するモード）、及び当該ディクテーション機能表示部７１を表示させるか等のディクテーションに関する情報が表示される。
【００６５】
内視鏡画像表示部７３には、例えば、第１の内視鏡３１や第２の内視鏡３２で観察している内視鏡画像が表示される。ディクテーションテキスト表示部７２には、ディクテーション機能により音声をテキスト化した情報（ディクテーションテキストデータ）が表示される。
【００６６】
図４は、本実施形態における「キーワード」と「電子カルテへの登録座標」との関連付けテーブルを示す。この関連付けテーブル８０は、項目「キーワード」８１と項目「電子カルテへの登録座標」８２から構成されている。関連付けテーブル８０は、メモリ５９に格納されている。
【００６７】
「キーワード」８１には、例えば、「部位１」、「部位２」、「部位３」、・・・「部位Ｘ」等の生体内の所定の部位の名称等のキーワードが格納されている。
「電子カルテへの登録座標」８２には、各キーワードに対応する電子カルテファイルへの登録座標（Ｘ軸×Ｙ軸）が格納されている。例えば、キーワード「部位１」に対応する登録座標には「４００×２００」が格納されているので、キーワード「部位２」に対応する登録座標には「４００×４００」が格納されている。なお、この登録座標とは、電子カルテファイル上の座標を示し、この座標で表された位置に後述する所定のテキストを出力（登録）する。
【００６８】
この関連付けテーブル８０を用いることにより、「キーワード」を含むディクテーションテキストデータが入力された場合には、それらに対応する「電子カルテへの登録座標」にそのディクテーションテキストデータを登録することができる。
【００６９】
図５は、本実施形態における電子カルテファイルへの登録例を示す。電子カルテファイルは、例えば、メモリ５９に格納されていてもよいし、システムコントローラ２２とネットワークを介して接続されている所定のサーバ内の記憶装置に格納されていても良い。同図では、電子カルテ（患者カルテ）９０には、その明細部分に項目として「部位１」、「部位２」、「部位３」、・・・、「部位Ｘ」が出力されている。そして、項目「部位１：」の右側には、「部位１の腫瘍摘出完了」が出力されている。
【００７０】
図５の「部位１」、「部位２」、「部位３」、・・・、「部位Ｘ」は、関連付けテーブル８０の項目「キーワード」８１に対応するものである。そして、関連付けテーブル８０の項目「電子カルテへの登録座標」８２に登録されている座標は、図５の「部位１」、「部位２」、「部位３」、・・・、「部位Ｘ」の各項目に対して出力する座標を示している。
【００７１】
それでは、図４と図５の関係を、図６を用いて説明する。
図６は、本実施形態におけるディクテーションテキストデータを電子カルテファイルへ登録するフローを示す。本フローは、例えばメモリ５９に格納されている所定のプログラムをＣＰＵ５５が読み出して起動させることにより実行される。
【００７２】
まず、医師がマイク５０から音声を入力すると、音声認識回路５６に入力されて、ＣＰＵ５５の制御によりテキスト化される（以下、ディクテーション機能という）。音声の入力が終了すると、ディクテーション機能によるテキスト化が終了する。つまり、システムコントローラ２２へのディクテーションテキストデータの入力が終了する（Ｓ１）。なお、ここでは、例えば、「部位１の腫瘍摘出完了。」という音声が入力されたとする。
【００７３】
次に、ＣＰＵ５５は、このディクテーションテキストデータに、関連付けテーブル８０の「キーワード」８１に格納されているキーワード（例えば、「部位１」、「部位２」  等）が含まれているかを検索する（Ｓ２）。
【００７４】
検索の結果、ＣＰＵ５５は、入力されたディクテーションテキストデータにキーワードが含まれているか否かを判断する（Ｓ３）。キーワードが含まれていない場合（Ｓ３で「Ｎｏ」へ進む）には、本フローは終了する。キーワードが含まれている場合には、ＣＰＵ５５は、関連付けテーブル８０からそのキーワードに対応する「電子カルテへの登録座標」を検索する（Ｓ４）。上記で「部位１の腫瘍摘出完了。」という音声が入力されているので、このディクテーションテキストデータには、「部位１」というキーワードが含まれている。
【００７５】
次に、検索された電子カルテの登録座標へディクテーションデータを出力する（Ｓ５）。例えば、図４のキーワード「部位１」に対応する登録座標「４００×２００」は、図５の「部位１：」の次に出力された「部位１の腫瘍摘出完了」の先頭文字の位置「部」の出力位置を示している。
【００７６】
以上より、所定のディクテーションテキストデータを電子カルテ上の特定の位置に出力することができるので、検査中または検査後に電子カルテに所定の情報を入力する手間を省くことができる。
【００７７】
（実施例２）
次に、上記の第１の実施形態の実施例１の変形例について説明する。ここでは、入力されたテキストデータの中に所定のキーワードが全て含まれている場合には、電子カルテの特定の位置に「問題無し」等の簡単な出力を行い、そうでない場合には、入力されたディクテーションテキストデータを出力する。
【００７８】
図７は、本実施形態の変形例におけるキーワードと登録座標との関連付けテーブルを示す。関連付けテーブル１００は、項目「キーワード１」１０１、項目「キーワード２」１０２、項目「電子カルテへの登録座標」１０３、及び、項目「テキストの簡略化」１０４から構成されている。なお、この関連付けテーブル１００は、メモリ５９に格納されている。
【００７９】
項目「キーワード１」１０１には、例えば、「部位１」、「部位２」、「部位３」、・・・「部位Ｘ」等の生体内の所定の部位の名称等のキーワードが格納されている。
項目「キーワード２」１０２には、例えば、各キーワード１に対応して「問題無し」等の部位に関する所見（例えば、問題無し、問題あり、異常なし、異常あり、等）等が格納されている。
【００８０】
項目「電子カルテへの登録座標」１０３には、キーワード１に対応する電子カルテファイルへの登録座標（Ｘ軸×Ｙ軸）が格納されている。例えば、キーワード１「部位１」に対応する登録座標には「４００×２００」が格納されており、キーワード１「部位２」に対応する登録座標には「４００×４００」が格納されている。
【００８１】
項目「テキストの簡略化」１０４には、例えば、各キーワード１に対応して「問題無し」が格納されている。「テキストの簡略化」１０４は、例えば、キーワード２の内容を簡略化したテキストが格納されている。
【００８２】
この関連付けテーブル１００を用いることにより、「キーワード１」と「キーワード２」を含むディクテーションテキストデータが入力された場合には、「キーワード１」と「キーワード２」の組み合わせに対応する「電子カルテへの登録座標」に「テキストの簡略化」を登録することができる。なお、後述するが、「キーワード１」のみを含むディクテーションテキストデータが入力された場合には、そのキーワード１に対応する「電子カルテへの登録座標」にその入力されたディクテーションテキストデータを登録することができる。
【００８３】
図８は、本実施形態の変形例における電子カルテファイルへの登録例を示す。図９は、本実施形態の変形例におけるディクテーションテキストデータを電子カルテファイルへ登録するフローを示す。このフローは、例えばメモリ５９に格納されている所定のプログラムをＣＰＵ５５が読み出して起動させることにより実行される。以下では、図８を参照しながら、図９のフローについて説明する。
【００８４】
まず、医師がマイク５０から、例えば「部位１は問題無し」という音声を入力すると、ディクテーション機能によりその音声がテキスト化される。音声の入力が終了すると、ディクテーション機能によるテキスト化が終了する。つまり、テキスト化されたテキストデータ（ディクテーションテキストデータ）の入力が終了する（Ｓ２１）。
【００８５】
次に、ＣＰＵ５５は、このディクテーションテキストデータに、関連付けテーブル１００の「キーワード１」１０１に格納されているキーワード１（例えば、「部位１」、「部位２」  等）が含まれているかを検索する（Ｓ１２）。
【００８６】
検索の結果、ＣＰＵ５５は、ディクテーションテキストデータにキーワード１が含まれているか否かを判断する（Ｓ１３）。Ｓ１３でキーワード１が含まれていない場合（Ｓ３で「Ｎｏ」へ進む）には、本フローは終了する。
【００８７】
上記の例では、「部位１は問題無し」というディクテーションテキストデータ中にキーワード１の「部位１」が含まれているので（Ｓ１３で「Ｙｅｓ」へ進む）、さらに、このディクテーションテキストデータが、キーワード１、及びこのキーワード１に対応するキーワード２と一致するかを判断する（Ｓ１４）。
【００８８】
図７よりキーワード１「部位１」に対応するキーワード２は「問題無し」であり、これらのキーワードはディクテーションテキストデータに含まれているので（Ｓ１４で「Ｙｅｓ」へ進む）、入力されたディクテーションテキストデータを「テキストの簡略化」１０４に格納されたテキストデータに置き換える（Ｓ１５）。上記の例では、キーワード１「部位１」、キーワード２「問題無し」の場合の「テキストの簡略化」に格納されたデータは「問題無し」であるので、これに置き換える。
【００８９】
次に、ＣＰＵ５５は、図７においてキーワード１に対応する「電子カルテへの登録座標」を検索し（Ｓ１６）、その検索された電子カルテファイルの座標へＳ１５で置換したテキストデータを登録する（Ｓ１７）。上記の例では、「キーワード１：部位１」に対応する「電子カルテへの登録座標」は、「４００×２００」であるので、この座標へＳ１５で置換したデータ「問題無し」を登録する。
【００９０】
そうすると、電子カルテファイル１１０には、「部位１：問題無し」と出力されている（図８（ａ）参照）。
次に、医師がマイク５０から、例えば「部位２に腫瘍発見」という音声を入力した場合について説明する。上述の通り、ディクテーション機能によりその音声がテキスト化される。音声の入力が終了すると、ディクテーション機能によるテキスト化が終了する。つまり、ディクテーションテキストデータの入力が終了する（Ｓ１１）。
【００９１】
次に、ＣＰＵ５５は、このディクテーションテキストデータに、関連付けテーブル１００の「キーワード１」１０１に格納されているキーワード１（例えば、「部位１」、「部位２」  等）が含まれているかを検索する（Ｓ１２）。
【００９２】
検索の結果、ＣＰＵ５５は、ディクテーションテキストデータにキーワードが含まれているか否かを判断する（Ｓ１３）。Ｓ３でキーワードが含まれていない場合（Ｓ１３で「Ｎｏ」へ進む）には、本フローは終了する。
【００９３】
上記の例では、「部位２に腫瘍発見」というディクテーションテキストデータ中にキーワード１の「部位２」が含まれているので（Ｓ１３で「Ｙｅｓ」へ進む）、さらに、このディクテーションテキストデータが、キーワード１、及びこのキーワード１に対応するキーワード２と一致するかを判断する（Ｓ１４）。
【００９４】
図７より「キーワード１：部位２」に対応するキーワード２は「問題無し」であるが、これらのキーワードの組み合わせは、ディクテーションテキストデータに含まれていないので（Ｓ１４で「Ｎｏ」へ進む）、ＣＰＵ５５は、図７においてキーワード１に対応する「電子カルテへの登録座標」１０３を検索し（Ｓ１６）、その検索された登録座標へそのディクテーションテキストデータを登録する（Ｓ１７）。上記の例では、「キーワード１：部位２」に対応する「電子カルテへの登録座標」は、「４００×４００」であるので、この座標へディクテーションテキストデータ「部位２に腫瘍発見」を出力する。
【００９５】
そうすると、電子カルテ１１０には、「部位２に腫瘍発見」と出力されている（図８（ｂ）参照）。
図８（ｃ）は、医師がマイク５０から、例えば「部位３は問題無し」という音声を入力した場合であり、図８（ａ）と同様のフローで処理されたものである。図８（ｄ）は、医師がマイク５０から、例えば「部位Ｘに摘出跡」という音声を入力した場合であり、図８（ｂ）と同様のフローで処理されたものである。
【００９６】
なお、第１の実施形態ではキーワードを１つまたは２を用いたが、さらにキーワードを増やしもよい。また、これらのキーワードの内容は、本実施形態に限定されず、用途に応じて変更するも可能である。また、関連付けテーブルには、電子カルテへの登録座標を格納したが、座標に限られず、出力先のファイル上の所定の位置を特定できるものであれば何でも良い。また、同一の電子カルテファイル内で同一のキーワードに対するディクテーションテキストデータが複数入力された場合には、改行して既に登録されているディクテーションテキストデータの次の行に順次登録するようにしてもよい。
【００９７】
以上より、正常なデータは予め登録されたデータに置き換えて電子カルテに登録し、異常なデータ（注意すべき情報）は、ディクテーションされたそのままの情報を電子カルテに登録することができるので、データの登録漏れがなくなり、さらに、正常／異常の識別が容易に行うことができる。
【００９８】
＜第２の実施形態＞
（実施例１）
本実施形態では、入力されたディクテーションテキストデータの中に全てのキーワードが含まれている場合は、表示パネルの特定の位置に、それらのキーワードに応じたディクテーションテキストデータを表示する。では、詳細を以下に示す。
【００９９】
図１０は、本実施形態におけるキーワードと表示座標との関連付けテーブルを示す。関連付けテーブル１２０は、項目「キーワード１」１２１、項目「キーワード２」１２２、項目「キーワード３」１２３、項目「パネルへの表示座標」１２４、及び、項目「テキスト表示」１２５から構成されている。関連付けテーブル１２０は、メモリ５９に格納されている。
【０１００】
「キーワード１」１２１には、例えば、「部位１」、「部位２」、「部位３」、・・・「部位Ｘ」等の生体内の所定の部位の名称等のキーワードが格納されている。
「キーワード２」１２２には、例えば、各キーワード１に対応して「切除」が格納されている。「キーワード２」１２２には、キーワード１に格納されている部位に対する処置についての情報が格納されている。
【０１０１】
項目「キーワード３」１２３には、例えば、各キーワード１または各キーワード２に対応して「完了」が格納されている。「キーワード３」１２３には、キーワード２に格納されている処置の進行状況についての情報が格納されている。
【０１０２】
「パネルへの表示座標」１２４には、キーワード１に対応する表示パネル３３への表示座標（Ｘ軸×Ｙ軸）が格納されている。例えば、キーワード１「部位１」に対応する表示座標には「４００×２００」が格納されており、キーワード１「部位２」に対応する表示座標には「４００×４００」が格納されている。なお、この表示座標とは、例えば表示パネル上の座標を示し、この座標で表された位置に後述する所定のテキストを出力（表示）する。「テキスト表示」１２５には、例えば、各キーワード１に対応して「処置完了」が格納されている。
【０１０３】
この関連付けテーブル１２０を用いることにより、「キーワード１」と「キーワード２」と「キーワード３」を含むディクテーションテキストデータが入力された場合には、それらに対応する「パネルへの表示座標」に「テキストの簡略化」を登録することができる。また、キーワード１」のみを含むディクテーションテキストデータが入力された場合には、それに対応する「パネルへの表示座標」にそのディクテーションテキストデータを表示させることができる。
【０１０４】
図１１は、本実施形態における集中表示パネル２１の表示例を示す。同図において、集中表示パネル２１は、接続周辺機器ステータス表示部７０、手術進行状況表示部１３０、ディクテーションテキスト表示部７２、内視鏡画像表示部７３から構成される。図１１は、図３のディクテーション機能表示部７１を手術進行状況表示部１３０に置き換えたものである。手術進行状況表示部１３０には、部位１の処置が完了したか、部位２の処置が完了したか等の各部位について手術の進行状況を表示させる表示領域である。
【０１０５】
図１２は、本実施形態におけるディクテーションテキストデータを表示パネルへ表示させるフローを示す。このフローは、例えばメモリ５９に格納されている所定のプログラムをＣＰＵ５５が読み出して起動させることにより、実行される。以下では、図１１を参照しながら、図１２のフローについて説明する。
【０１０６】
まず、医師がマイク５０から、例えば「部位１の切除が完了」という音声を入力すると、ディクテーション機能によりその音声がテキスト化される。そのディクテーションテキストデータが表示パネル２１のディクテーションテキスト表示部７２に表示される（Ｓ２１）。音声の入力が終了すると、ディクテーション機能によるテキスト化が終了する。つまり、テキスト化されたテキストデータの入力が終了する（Ｓ２２）。
【０１０７】
次に、ＣＰＵ５５は、このディクテーションテキストデータに、関連付けテーブル１２０の「キーワード１」１２１に格納されているキーワード１（例えば、「部位１」、「部位２」  等）が含まれているかを検索する（Ｓ２３）。
【０１０８】
検索の結果、ＣＰＵ５５は、ディクテーションテキストデータにキーワードが含まれているか否かを判断する（Ｓ２４）。Ｓ２４でキーワードが含まれていない場合（Ｓ２４で「Ｎｏ」へ進む）には、本フローは終了する。
【０１０９】
上記の例では、「部位１の切除が完了」というディクテーションテキストデータ中にキーワード１の「部位１」が含まれているので（Ｓ２４で「Ｙｅｓ」へ進む）、さらに、このディクテーションテキストデータが、キーワード１、キーワード２、及び。キーワード３と一致するものを含むかを判断する（Ｓ２５）。Ｓ２５でキーワード１、２、および３が全て含まれていない場合（Ｓ２５で「Ｎｏ」へ進む）には、本フローは終了する。
【０１１０】
図１０より「キーワード１：部位１」に対応するキーワード２及び３は「切除、完了」であり、これらのキーワードは上記の例ではディクテーションテキストデータに含まれているので（Ｓ２５で「Ｙｅｓ」へ進む）、入力されたディクテーションテキストデータを「テキスト表示」１２５に格納されたテキストデータに置き換える（Ｓ２６）。上記の例では、「キーワード１：部位１、キーワード２：切除、キーワード３：完了」の場合の「テキスト表示」に格納されたデータは「処置完了」であるので、入力されたディクテーションテキストデータを「処置完了」に置き換える。
【０１１１】
次に、ＣＰＵ５５は、図１０においてキーワード１に対応する「パネルへの表示座標」を検索し（Ｓ２７）、その検索された表示パネルの座標へＳ２６で置換したテキストデータを表示させる（Ｓ２８）。上記の例では、「キーワード１：部位１」に対応する「パネルへの表示座標」は、「４００×２００」であるので、この座標へＳ２６で置換したデータ「処置完了」を出力する。
【０１１２】
そうすると、図１１で示すように、表示パネル２１の手術進行状況表示部１３０には、「部位１：処置完了」が表示されている。その後、ディクテーション機能開始時にディクテーションテキスト表示部７２に表示させたディクテーションテキストデータを消去する（Ｓ２９）。
【０１１３】
以上より、容易に検査完了の有無を確認することができる。また、検査完了の有無を確認する際に、表示パネルから目を離さずに確認することができるので、検査・手術を効率よく行うことができる。
【０１１４】
（実施例２）
次に、上記の第２の実施形態の実施例１の変形例について説明する。この実施例２では、入力されたディクテーションテキストデータの中に全てのキーワードが含まれている場合は、表示パネルの特定の位置に、それらのキーワードに応じたディクテーションテキストデータを様々な態様で表示させる。
【０１１５】
図１３は、本実施形態の実施例２における集中表示パネル２１の表示例を示す。図１１と異なる部分は、手術進行状況表示部１３０に表示される一部のテキストが拡大して表示されている部分である。すなわち、１４０で表される「部位１：処置完了」が他のテキストと比べて拡大表示されている。この１４０で示される拡大されたテキスト表示は、手術進行状況表示部１３０内に表示されるテキストのうち最新に更新されたことを示している。
【０１１６】
図１４は、本実施形態の実施例２におけるディクテーションしてテキスト化された音声情報を表示パネルへ表示させるフローを示す。このフローは、例えばメモリ５９に格納されている所定のプログラムをＣＰＵ５５が読み出して起動させることにより、実行される。以下では、図１３を参照しながら、図１４のフローについて説明する。
【０１１７】
図１４は、図１２のＳ２８をＳ２８−１の処理に置き換えたものである。Ｓ２８−１では、Ｓ２７で検索された表示座標へＳ２６で置換したテキストデータを表示させる場合に、そのテキストデータを拡大して表示させたり、色を変更して表示させたり、点灯等させたりしてもよい。なお、このとき、それまで拡大して表示されていた、または色を変更して表示されていたテキストデータは、もとの表示態様に戻す処理を行う。
【０１１８】
なお、第２の実施形態ではキーワードを３を用いたが、１または２個のキーワード、または４個以上のキーワードを使用しても良い。また、これらのキーワードの内容は、本実施形態に限定されず、用途に応じて変更するも可能である。また、関連付けテーブルには、電子カルテへの登録座標を格納したが、座標に限られず、出力先のファイル上の所定の位置を特定できるものであれば何でも良い。また、同一の電子カルテファイル内で同一のキーワードに対するディクテーションテキストデータが複数入力された場合には、改行して既に登録されているディクテーションテキストデータの次の行に順次登録するようにしてもよい。
【０１１９】
以上より、手術進行状況表示部１３０内に表示されるテキストのうち最新に更新されたテキストを容易に認識することができるので、効率よく検査・手術等を行うことができる。
【０１２０】
＜第３の実施形態＞
本実施形態では、表示パネルに表示されたディクテーションテキストを、音声コマンド制御機能を用いて、表示／非表示としたり、表示を変更させたり等の表示形態を制御するする方法について説明する。
【０１２１】
図１５は、本実施形態におけるコマンド一覧を示す。音声コマンド制御機能は、第１コマンドと第２コマンドの２つのコマンドを認識することで、表示パネルに表示されたディクテーションテキストの表示態様を制御する。このコマンド一覧は、音声認識回路５６内の。ナビゲーションコマンドメモリに格納されている。
【０１２２】
第１コマンドには、表示態様の種類（例えば、「データの表示」、「データの位置」、「データのサイズ」、「データの色」、等）を示している。第２コマンドは、第１コマンドで特定された用事態様の制御について示している。例えば、「データの表示、表示ＯＦＦ」と発音すると、音声認識回路５６及びＣＰＵ５５でコマンドが解析され、第１コマンド「データの表示」、第２コマンド「表示ＯＦＦ」であることが認識される。すると、ＣＰＵ５５は、表示パネルに表示されているディクテーションテキストを非表示にする。
【０１２３】
図１６は、本実施形態における集中表示パネル２１の表示例を示す。ディクテーションテキストデータ「部位１の切除が完了」は、音声コマンド制御前では７２ａの位置（内視鏡画像表示部７３の右上）にあった（図１１参照）。それから、音声ディクテーション用コントローラ４９を用いて、ディクテーションモードから音声コマンド制御モードへ切り替えた後、マイク５０より「データの位置、左下」と音声を入力すると、７２ｂの位置（内視鏡画像表示部７３の左下）に移動させることができる。
【０１２４】
以上より、ディクテーションテキストデータが内視鏡観察の邪魔になるときは、そのディクテーションテキストデータを非表示にしたり、表示位置を変更したり等の表示態様を容易に変更することができるため、効率よく観察を行うことができる。なお、カメラヘッドに設けた所定のスイッチにより、ディクテーションテキストデータの表示／非表示を制御しても良い。
【図面の簡単な説明】
【０１２５】
【図１】第１の実施形態における内視鏡手術システムの全体構成を示す図である。
【図２】図１の内視鏡手術システムを構成する各医療機器の接続関係を示すブロック図である図である。
【図３】第１の実施形態の実施例１における集中表示パネル２１の表示例を示す図である。
【図４】第１の実施形態の実施例１における「キーワード」と「電子カルテへの登録座標」との関連付けテーブルを示す図である。
【図５】第１の実施形態の実施例１における電子カルテファイルへの登録例を示す図である。
【図６】第１の実施形態の実施例１におけるディクテーションテキストデータを電子カルテファイルへ登録するフローを示す図である。
【図７】第１の実施形態の実施例２におけるキーワードと登録座標との関連付けテーブルを示す図である。
【図８】第１の実施形態の実施例２における電子カルテファイルへの登録例を示す図である。
【図９】第１の実施形態の実施例２におけるディクテーションテキストデータを電子カルテファイルへ登録するフローを示す図である。
【図１０】第２の実施形態の実施例１におけるキーワードと表示座標との関連付けテーブルを示す図である。
【図１１】第２の実施形態の実施例１における集中表示パネル２１の表示例を示す図である。
【図１２】第２の実施形態の実施例１におけるディクテーションテキストデータを表示パネルへ表示させるフローを示す図である。
【図１３】第２の実施形態の実施例２における集中表示パネル２１の表示例を示す図である。
【図１４】第２の実施形態の実施例２におけるディクテーションしてテキスト化された音声情報を表示パネルへ表示させるフローを示す図である。
【図１５】第３の実施形態におけるコマンド一覧を示す図である。
【図１６】第３の実施形態における集中表示パネル２１の表示例を示す図である。
【符号の説明】
【０１２６】
１      内視鏡手術システム
２      第１の内視鏡手術システム
３      第２の内視鏡手術システム
１１    内視鏡表示パネル
１２    第１の医療用トロリー
１３    電気メス装置
１４    送気装置（気腹装置）
１５    内視鏡光源装置
１６    ビデオプロセッサ
１７    ＶＴＲ
１８    ガスボンベ
１９    患者ベッド
２０    内視鏡表示パネル
２１    集中表示パネル
２２    システムコントローラ
２４    リモコン
２５    第２の医療用トロリー
２６    内視鏡光源装置
２７    ビデオプロセッサ
２８    中継ユニット
２９    ケーブル
３０    患者
３１    第１の内視鏡
３１ａ  第１のカメラヘッド
３２    第２の内視鏡
３２ａ  第２のカメラヘッド
３３    集中操作パネル
３５    内視鏡表示パネル
３８    通信ケーブル
３９    映像ケーブル
４０    トロリー棚
４１    トロリートッププレート
４２    トロリー棚
４３    トロリートッププレート
５０    マイク
５１    通信Ｉ／Ｆ
５２    ディスプレイＩ／Ｆ
５３    集中操作パネルＩ／Ｆ
５４    リモコンＩ／Ｆ
５５    ＣＰＵ
５６    音声認識回路
５７    音声合成回路
５８    スピーカ
５９    メモリ
６０    プリンタ
６１    超音波観察装置
６２    ＶＴＲ
６３    シェーバ
６４    ポンプ
６５    超音波処理装置